(57)【要約】  【課題】従来の封入型記録媒体発行機能付き遊技用装置の利点（即ち遊技者の利便性の向上，遊技機の稼働率の向上，及び遊技用記録媒体のコストの低減）を維持しつつも、高額貨幣の入金を促進できるような遊技用システムを提供する。  【解決手段】カードユニット２０において紙幣２及び／又は硬貨３を受け付けると、玉貸処理が行われる。該玉貸処理に使用されなかった残額がある状態で、カードユニットにおいて精算カード５を受け付けると、システムコンピュータ５０において封入カードＩＤと対応付けて記憶されている残額が精算カードＩＤと対応付けて記憶される（振り替えられる）。精算装置６０において精算カードを受け付けると、精算カードＩＤと対応付けて記憶されている残額に相当する貨幣が返却される。【選択図】        図１
2005118290.tif 000002
【特許請求の範囲】
【請求項１】
遊技機に対応して設けられ、
貨幣を受け付ける貨幣受付手段と、
該貨幣受付手段により受け付けた貨幣の金額に相当する有価価値の大きさと、遊技者が指触不能な態様で遊技用装置内部に封入されている封入型記録媒体を個々に特定可能な封入型記録媒体特定情報と、を含む封入型記録媒体入金情報を遊技用装置外部に送信する封入型記録媒体入金情報送信手段と、
前記貨幣受付手段により受け付けた貨幣の金額に相当する有価価値の大きさの範囲内における所定の大きさの有価価値に相当する遊技媒体を貸与するための貸与処理を行う貸与処理手段と、
該貸与処理手段により貸与処理に使用される有価価値の大きさと、前記封入されている封入型記録媒体の封入型記録媒体特定情報と、を含む貸与情報を遊技用装置外部に送信する貸与情報送信手段と、を有する遊技用装置と、
該遊技用装置と通信可能であり、
前記封入型記録媒体入金情報送信手段から受信した封入型記録媒体入金情報に含まれる有価価値の大きさと封入型記録媒体特定情報とを対応付けて記憶する記憶手段と、
前記貸与情報送信手段から受信した貸与情報に含まれる有価価値の大きさを、該受信した貸与情報に含まれる封入型記録媒体特定情報と対応付けて前記記憶手段に記憶されている有価価値の大きさから減算する減算処理を行う減算処理手段と、を有する管理装置と、
を備える遊技用システムであって、
前記遊技用装置は、遊技用装置外部から精算用記録媒体を受け付けたときに、該受け付けた精算用記録媒体から読み取った該精算用記録媒体を個々に特定可能な精算用記録媒体特定情報と、当該遊技用装置内部に封入されている封入型記録媒体の封入型記録媒体特定情報と、を含む遊技終了処理要求を前記管理装置に対して送信する遊技終了処理要求送信手段をさらに有し、
前記管理装置は、該遊技終了処理要求送信手段から受信した遊技終了処理要求に含まれる封入型記録媒体特定情報と対応付けて前記記憶手段に記憶されている有価価値の大きさを、該受信した遊技終了処理要求に含まれる精算用記録媒体特定情報と対応付けて前記記憶手段により記憶し、
前記遊技用システムは、前記管理装置と通信可能であり、前記精算用記録媒体を受け付けて、該受け付けた精算用記録媒体の精算用記録媒体特定情報と対応付けて前記記憶手段に記憶されている有価価値の大きさに相当する金額の貨幣を遊技者に返却する精算装置をさらに備えることを特徴とする遊技用システム。
【請求項２】
請求項１に記載した遊技用システムであって、
前記遊技用装置は、前記精算用記録媒体を受け付けたときに、該受け付けた精算用記録媒体から読み取った精算用記録媒体特定情報を前記管理装置に対して送信する精算用記録媒体特定情報送信手段をさらに有し、
前記管理装置は、該精算用記録媒体特定情報送信手段から受信した精算用記録媒体特定情報と対応付けて前記記憶手段に有価価値の大きさが記憶されていることを条件として、貸与許諾情報を前記精算用記録媒体特定情報の送信元である遊技用装置に対して返信する貸与許諾情報返信手段をさらに有し、
前記遊技用装置は、該貸与許諾情報返信手段から貸与許諾情報が返信されてきたことを条件として、前記記憶手段に記憶されている有価価値の大きさの範囲内における所定の大きさの有価価値に相当する遊技媒体を貸与するための貸与処理を前記貸与処理手段により行い、該貸与処理手段により貸与処理に使用される有価価値の大きさと、前記受け付けた精算用記録媒体から読み取った精算用記録媒体特定情報と、を含む貸与情報を前記貸与情報送信手段により前記管理装置に対して送信し、
前記管理装置は、該貸与情報送信手段から受信した貸与情報に含まれる有価価値の大きさを、該受信した貸与情報に含まれる精算用記録媒体特定情報と対応付けて前記記憶手段に記憶されている有価価値の大きさから減算する減算処理を前記減算処理手段により行うことを特徴とする遊技用システム。
【請求項３】
請求項２に記載した遊技用システムであって、
前記遊技用装置は、
前記受け付けている精算用記録媒体を遊技者に返却するための返却操作を受け付ける返却操作受付手段と、
前記受け付けている精算用記録媒体の精算用記録媒体特定情報と対応付けて前記記憶手段に記憶されている有価価値の大きさが前記減算処理手段による減算処理後に零になったときに、該受け付けている精算用記録媒体を遊技用装置内部に留保する留保手段と、をさらに有すると共に、
前記留保手段により精算用記録媒体が遊技用装置内部に留保されている状態で該返却操作受付手段により返却操作を受け付けたときに、該留保されている精算用記録媒体の精算用記録媒体特定情報と、当該遊技用装置内部に封入されている封入型記録媒体の封入型記録媒体特定情報と、を含む遊技終了処理要求を前記遊技終了処理要求送信手段により前記管理装置に対して送信し、
前記管理装置は、
該遊技終了処理要求送信手段から受信した遊技終了処理要求に含まれる封入型記録媒体特定情報と対応付けて前記記憶手段に記憶されている有価価値の大きさを、該受信した遊技終了処理要求に含まれる精算用記録媒体特定情報と対応付けて前記記憶手段により記憶したときに、遊技の終了を許諾する旨の遊技終了許諾情報を前記遊技終了処理要求の送信元である遊技用装置に対して返信する遊技終了許諾情報返信手段をさらに有し、
前記遊技用装置は、該遊技終了許諾情報返信手段から遊技終了許諾情報が返信されてきたことを条件として、前記留保手段により留保されている精算用記録媒体を遊技者に返却することを特徴とする遊技用システム。
【請求項４】
請求項２に記載した遊技用システムであって、
前記遊技用装置は、
前記受け付けている精算用記録媒体の精算用記録媒体特定情報と対応付けて前記記憶手段に記憶されている有価価値の大きさが前記減算処理手段による減算処理後に零になったときに、該受け付けている精算用記録媒体を遊技用装置内部に留保する留保手段と、
該留保手段により精算用記録媒体が遊技用装置内部に留保されている状態で前記貨幣受付手段により貨幣を受け付けたときに、該受け付けた貨幣の金額に相当する有価価値の大きさと、該留保されている精算用記録媒体の精算用記録媒体特定情報と、を含む精算用記録媒体入金情報を前記管理装置に対して送信する精算用記録媒体入金情報送信手段と、をさらに有し、
前記管理装置は、該精算用記録媒体入金情報送信手段から受信した精算用記録媒体入金情報に含まれる有価価値の大きさと精算用記録媒体特定情報とを対応付けて前記記憶手段により記憶し、
前記遊技用装置は、前記留保手段により留保されている精算用記録媒体を遊技者に返却するための返却操作を受け付ける返却操作受付手段をさらに有すると共に、該返却操作受付手段により返却操作が受け付けられたときに、前記留保手段により留保されている精算用記録媒体を遊技者に返却することを特徴とする遊技用システム。
【請求項５】
請求項１〜４のいずれか１つに記載した遊技用システムであって、
前記管理装置は、前記封入型記録媒体入金情報送信手段から受信した封入型記録媒体入金情報に含まれる有価価値の大きさと封入型記録媒体特定情報とを対応付けて前記記憶手段により記憶したときに、該記憶の完了を示す旨の記憶完了情報を前記封入型記録媒体入金情報の送信元である遊技用装置に対して返信する記憶完了情報返信手段をさらに有し、
前記遊技用装置は、
該記憶完了情報返信手段から記憶完了情報が返信されてくることを条件として、前記貨幣受付手段により受け付けた貨幣の金額に相当する有価価値の大きさを記憶する有価価値記憶手段と、
前記貸与処理手段により遊技媒体の貸与に使用される有価価値の大きさを該有価価値記憶手段に記憶されている有価価値の大きさから減算する有価価値減算処理を行う有価価値減算処理手段と、
前記管理装置と通信不能な状態で、前記精算用記録媒体を受け付けたときに、前記有価価値記憶手段に記憶されている有価価値の大きさを該受け付けた精算用記録媒体に記録する処理を行う有価価値記録処理手段と、をさらに有し、
前記精算装置は、該有価価値の大きさが記録された精算用記録媒体を受け付けたときに、該受け付けた精算用記録媒体に記録されている有価価値の大きさに相当する金額の貨幣を遊技者に返却することを特徴とする遊技用システム。
【請求項６】
請求項５に記載した遊技用システムであって、
前記遊技用装置は、前記管理装置と通信不能な状態で、前記精算用記録媒体を受け付けたときに、前記有価価値記憶手段に記憶されている有価価値の大きさと、該遊技用装置内部に封入されている封入型記録媒体の封入型記録媒体特定情報とを、該受け付けた精算用記録媒体に記録する処理を前記有価価値記録処理手段により行い、
前記精算装置は、該有価価値記録処理手段により有価価値の大きさと封入型記録媒体特定情報とが記録された精算用記録媒体を受け付けたときに、該受け付けた精算用記録媒体から読み取った有価価値の大きさと封入型記録媒体特定情報とを含む精算許諾要求を前記管理装置に対して送信する精算許諾要求送信手段をさらに有し、
前記管理装置は、
該精算許諾要求送信手段から受信した精算許諾要求に含まれる有価価値の大きさが、該受信した精算許諾要求に含まれる封入型記録媒体特定情報と対応付けて前記記憶手段に記憶されている有価価値の大きさ以下であるか否かを判定する判定手段と、
該判定手段により、前記精算許諾要求送信手段から受信した精算許諾要求に含まれる有価価値の大きさが、該受信した精算許諾要求に含まれる封入型記録媒体特定情報と対応付けて前記記憶手段に記憶されている有価価値の大きさ以下であると判定されたことを条件として、精算を許諾する旨を示す精算許諾情報を前記精算許諾要求の送信元である精算装置に対して返信する精算許諾情報返信手段と、をさらに有し、
前記精算装置は、該精算許諾情報返信手段から精算許諾情報が返信されてきたことを条件として、前記受け付けた精算用記録媒体から読み取った有価価値の大きさに相当する金額の貨幣を遊技者に返却することを特徴とする遊技用システム。
【発明の詳細な説明】
【技術分野】
【０００１】
本発明は、貨幣を受け付けて遊技媒体を貸与する遊技用システムに係り、特に遊技媒体の貸与に使用されなかった残額を遊技者に返却可能な遊技用システムに関する。
【背景技術】
【０００２】
従来より、遊技機（例えばパチンコ機）に対応して設けられ、遊技に使用可能な遊技用価値の大きさ（例えば残度数）を特定可能な情報が記録された遊技用記録媒体（例えばプリペイドカード）を受け付けて、該受け付けた遊技用記録媒体の記録情報から特定される遊技用価値の大きさの範囲内における所定の大きさの遊技用価値に相当する遊技媒体を貸与するための貸与処理（例えば玉貸処理）を行う遊技用装置（いわゆるカードユニット）が知られている。
【０００３】
また最近では、前記遊技用記録媒体を所持していない遊技者や、該遊技用記録媒体の記録情報から特定される遊技用価値の大きさを使い切った遊技者が、該遊技用記録媒体の発行装置まで出向いて新規の遊技用記録媒体を購入する必要がないように、遊技者が指触不能な態様で遊技用装置内部に封入されている封入型記録媒体を発行する封入型記録媒体発行機能付き遊技用装置も知られている。
【０００４】
この封入型記録媒体発行機能付き遊技用装置は、貨幣（例えば紙幣及び／又は硬貨）を受け付けて、該受け付けた貨幣の金額に相当する遊技用価値の大きさ（例えば残度数）を特定可能な情報を封入型記録媒体に対して記録する処理を行い、該遊技用価値の大きさを特定可能な情報が記録された封入型記録媒体を遊技者が視認可能な位置まで移動させた後に該装置の内部に取り込み、該取り込んだ封入型記録媒体の記録情報を読み出し、該記録情報の照合等を行った後に、該記録情報から特定される遊技用価値の大きさの範囲内における所定の大きさの遊技用価値に相当する遊技媒体を貸与するための貸与処理を行うものである。この封入型記録媒体発行機能付き遊技用装置によれば、遊技者が遊技機を離れて遊技用記録媒体の発行装置まで出向いて新規の遊技用記録媒体を購入する手間が省けるので遊技者の利便性を向上できると共に、遊技場にとっても遊技機の稼働率を向上できると共に遊技用記録媒体のコストが低減されるという利点がある（例えば特許文献１を参照）。
【０００５】
【特許文献１】特開２００２−８５７９５号公報（第２頁，図２）
【発明の開示】
【発明が解決しようとする課題】
【０００６】
しかしながら、従来の封入型記録媒体発行機能付き遊技用装置では、前記受け付けた（入金された）貨幣の金額に相当する遊技用価値の大きさは当該遊技用装置で使い切る必要があるので、高額貨幣（例えば10000円紙幣，5000円紙幣）の入金を促進できないと共に、該高額貨幣の入金を望まない遊技者が該高額貨幣を少額貨幣（例えば1000円紙幣，500円硬貨）に両替するために遊技機を離れる必要が生ずるので、遊技機の稼働率が低下してしまうという問題があった。
【０００７】
本発明は、このような背景のもとになされたものであり、その目的は、従来の封入型記録媒体発行機能付き遊技用装置の利点（即ち遊技者の利便性の向上，遊技機の稼働率の向上，及び遊技用記録媒体のコストの低減）を維持しつつも、高額貨幣の入金を促進できるような遊技用システムを提供することにある。
【課題を解決するための手段】
【０００８】
本発明は、前記課題を解決するために、次のような手段を採る。なお後述する発明を実施するための最良の形態の説明及び図面で使用した符号を参考のために括弧書きで付記するが、本発明の構成要素は該付記したものには限定されない。
【０００９】
まず請求項１に係る発明は、遊技機（パチンコ機１０）に対応して設けられ、貨幣（紙幣２，硬貨３）を受け付ける貨幣受付手段（紙幣識別機２３，硬貨識別機２４）と、該貨幣受付手段により受け付けた貨幣の金額に相当する有価価値の大きさ（入金された金額）と、遊技者が指触不能な態様で遊技用装置内部に封入されている封入型記録媒体（封入カード４）を個々に特定可能な封入型記録媒体特定情報（封入カードＩＤ）と、を含む封入型記録媒体入金情報を遊技用装置外部に送信する封入型記録媒体入金情報送信手段（システムコンピュータ用通信部２１ａ，２１ａ’）と、前記貨幣受付手段により受け付けた貨幣の金額に相当する有価価値の大きさの範囲内における所定の大きさの有価価値（玉貸設定金額）に相当する遊技媒体（パチンコ玉）を貸与するための貸与処理（玉貸処理）を行う貸与処理手段（制御部２２）と、該貸与処理手段により貸与処理に使用される有価価値の大きさ（使用金額）と、前記封入されている封入型記録媒体の封入型記録媒体特定情報と、を含む貸与情報を遊技用装置外部に送信する貸与情報送信手段（システムコンピュータ用通信部２１ａ，２１ａ’）と、を有する遊技用装置（カードユニット２０，２０’）と、該遊技用装置と通信可能であり、前記封入型記録媒体入金情報送信手段から受信した封入型記録媒体入金情報に含まれる有価価値の大きさ（入金残額）と封入型記録媒体特定情報とを対応付けて記憶する記憶手段（ハードディスク５３，５３’）と、前記貸与情報送信手段から受信した貸与情報に含まれる有価価値の大きさを、該受信した貸与情報に含まれる封入型記録媒体特定情報と対応付けて前記記憶手段に記憶されている有価価値の大きさから減算する減算処理を行う減算処理手段（制御部５２）と、を有する管理装置（システムコンピュータ５０，５０’）と、を備える遊技用システム（１，１’）であって、前記遊技用装置は、遊技用装置外部から精算用記録媒体（精算カード５）を受け付けたときに、該受け付けた精算用記録媒体から読み取った該精算用記録媒体を個々に特定可能な精算用記録媒体特定情報（精算カードＩＤ）と、当該遊技用装置内部に封入されている封入型記録媒体の封入型記録媒体特定情報と、を含む遊技終了処理要求を前記管理装置に対して送信する遊技終了処理要求送信手段（システムコンピュータ用通信部２１ａ，２１ａ’）をさらに有し、前記管理装置は、該遊技終了処理要求送信手段から受信した遊技終了処理要求に含まれる封入型記録媒体特定情報と対応付けて前記記憶手段に記憶されている有価価値の大きさを、該受信した遊技終了処理要求に含まれる精算用記録媒体特定情報と対応付けて前記記憶手段により記憶し、前記遊技用システムは、前記管理装置と通信可能であり、前記精算用記録媒体を受け付けて、該受け付けた精算用記録媒体の精算用記録媒体特定情報と対応付けて前記記憶手段に記憶されている有価価値の大きさ（カード残額）に相当する金額の貨幣を遊技者に返却する精算装置（６０）をさらに備えることを特徴とする遊技用システムである。
【００１０】
また請求項２に係る発明は、請求項１に記載した遊技用システム（１，１’）であって、前記遊技用装置（カードユニット２０，２０’）は、前記精算用記録媒体（精算カード５）を受け付けたときに、該受け付けた精算用記録媒体から読み取った精算用記録媒体特定情報（精算カードＩＤ）を前記管理装置（システムコンピュータ５０，５０’）に対して送信する精算用記録媒体特定情報送信手段（システムコンピュータ用通信部２１ａ，２１ａ’）をさらに有し、前記管理装置は、該精算用記録媒体特定情報送信手段から受信した精算用記録媒体特定情報と対応付けて前記記憶手段（ハードディスク５３，５３’）に有価価値の大きさ（カード残額）が記憶されていることを条件として、貸与許諾情報を前記精算用記録媒体特定情報の送信元である遊技用装置に対して返信する貸与許諾情報返信手段（通信部５１）をさらに有し、前記遊技用装置は、該貸与許諾情報返信手段から貸与許諾情報が返信されてきたことを条件として、前記記憶手段に記憶されている有価価値の大きさの範囲内における所定の大きさの有価価値（玉貸設定金額）に相当する遊技媒体（パチンコ玉）を貸与するための貸与処理（玉貸処理）を前記貸与処理手段（制御部２２）により行い、該貸与処理手段により貸与処理に使用される有価価値の大きさ（使用金額）と、前記受け付けた精算用記録媒体から読み取った精算用記録媒体特定情報と、を含む貸与情報を前記貸与情報送信手段（システムコンピュータ用通信部２１ａ，２１ａ’）により前記管理装置に対して送信し、前記管理装置は、該貸与情報送信手段から受信した貸与情報に含まれる有価価値の大きさを、該受信した貸与情報に含まれる精算用記録媒体特定情報と対応付けて前記記憶手段に記憶されている有価価値の大きさから減算する減算処理を前記減算処理手段（制御部５２）により行うことを特徴とする遊技用システムである。
【００１１】
また請求項３に係る発明は、請求項２に記載した遊技用システム（１）であって、前記遊技用装置（カードユニット２０）は、前記受け付けている精算用記録媒体を遊技者に返却するための返却操作を受け付ける返却操作受付手段（精算カード返却ボタン１６）と、前記受け付けている精算用記録媒体（精算カード５）の精算用記録媒体特定情報（精算カードＩＤ）と対応付けて前記記憶手段（ハードディスク５３）に記憶されている有価価値の大きさ（カード残額）が前記減算処理手段（制御部５２）による減算処理後に零になったときに、該受け付けている精算用記録媒体を遊技用装置内部に留保する留保手段（精算カードＲ／Ｗ２６）と、をさらに有すると共に、前記留保手段により精算用記録媒体が遊技用装置内部に留保されている状態で該返却操作受付手段により返却操作を受け付けたときに、該留保されている精算用記録媒体の精算用記録媒体特定情報と、当該遊技用装置内部に封入されている封入型記録媒体（封入カード４）の封入型記録媒体特定情報（封入カードＩＤ）と、を含む遊技終了処理要求を前記遊技終了処理要求送信手段（システムコンピュータ用通信部２１ａ）により前記管理装置（システムコンピュータ５０）に対して送信し、前記管理装置は、該遊技終了処理要求送信手段から受信した遊技終了処理要求に含まれる封入型記録媒体特定情報と対応付けて前記記憶手段に記憶されている有価価値の大きさ（入金残額）を、該受信した遊技終了処理要求に含まれる精算用記録媒体特定情報と対応付けて前記記憶手段により記憶したときに、遊技の終了を許諾する旨の遊技終了許諾情報を前記遊技終了処理要求の送信元である遊技用装置に対して返信する遊技終了許諾情報返信手段（通信部５１）をさらに有し、前記遊技用装置は、該遊技終了許諾情報返信手段から遊技終了許諾情報が返信されてきたことを条件として、前記留保手段により留保されている精算用記録媒体を遊技者に返却することを特徴とする遊技用システムである。
【００１２】
また請求項４に係る発明は、請求項２に記載した遊技用システム（１’）であって、前記遊技用装置（カードユニット２０’）は、前記受け付けている精算用記録媒体（精算カード５）の精算用記録媒体特定情報（精算カードＩＤ）と対応付けて前記記憶手段（ハードディスク５３’）に記憶されている有価価値の大きさ（カード残額）が前記減算処理手段（制御部５２）による減算処理後に零になったときに、該受け付けている精算用記録媒体を遊技用装置内部に留保する留保手段（精算カードＲ／Ｗ２６）と、該留保手段により精算用記録媒体が遊技用装置内部に留保されている状態で前記貨幣受付手段（紙幣識別機２３，硬貨識別機２４）により貨幣（紙幣２，硬貨３）を受け付けたときに、該受け付けた貨幣の金額に相当する有価価値の大きさ（入金された金額）と、該留保されている精算用記録媒体の精算用記録媒体特定情報と、を含む精算用記録媒体入金情報を前記管理装置（システムコンピュータ５０’）に対して送信する精算用記録媒体入金情報送信手段（システムコンピュータ用通信部２１ａ’）と、をさらに有し、前記管理装置は、該精算用記録媒体入金情報送信手段から受信した精算用記録媒体入金情報に含まれる有価価値の大きさと精算用記録媒体特定情報とを対応付けて前記記憶手段により記憶し、前記遊技用装置は、前記留保手段により留保されている精算用記録媒体を遊技者に返却するための返却操作を受け付ける返却操作受付手段（精算カード返却ボタン１６）をさらに有すると共に、該返却操作受付手段により返却操作が受け付けられたときに、前記留保手段により留保されている精算用記録媒体を遊技者に返却することを特徴とする遊技用システムである。
【００１３】
また請求項５に係る発明は、請求項１〜４のいずれか１つに記載した遊技用システム（１，１’）であって、前記管理装置（システムコンピュータ５０，５０’）は、前記封入型記録媒体入金情報送信手段（システムコンピュータ用通信部２１ａ，２１ａ’）から受信した封入型記録媒体入金情報に含まれる有価価値の大きさ（入金された金額）と封入型記録媒体特定情報（封入カードＩＤ）とを対応付けて前記記憶手段（ハードディスク５３，５３’）により記憶したときに、該記憶の完了を示す旨の記憶完了情報を前記封入型記録媒体入金情報の送信元である遊技用装置（カードユニット２０，２０’）に対して返信する記憶完了情報返信手段（通信部５１）をさらに有し、前記遊技用装置は、該記憶完了情報返信手段から記憶完了情報が返信されてくることを条件として、前記貨幣受付手段（紙幣識別機２３，硬貨識別機２４）により受け付けた貨幣（紙幣２，硬貨３）の金額に相当する有価価値の大きさを記憶する有価価値記憶手段（封入カード４）と、前記貸与処理手段（制御部２２）により遊技媒体（パチンコ玉）の貸与に使用される有価価値の大きさ（使用金額）を該有価価値記憶手段に記憶されている有価価値の大きさから減算する有価価値減算処理を行う有価価値減算処理手段（制御部２２）と、前記管理装置と通信不能な状態で、前記精算用記録媒体（精算カード５）を受け付けたときに、前記有価価値記憶手段に記憶されている有価価値の大きさ（入金残額）を該受け付けた精算用記録媒体に記録する処理を行う有価価値記録処理手段（精算カードＲ／Ｗ２６）と、をさらに有し、前記精算装置（６０）は、該有価価値の大きさが記録された精算用記録媒体を受け付けたときに、該受け付けた精算用記録媒体に記録されている有価価値の大きさに相当する金額の貨幣を遊技者に返却することを特徴とする遊技用システムである。
【００１４】
さらに請求項６に係る発明は、請求項５に記載した遊技用システム（１，１’）であって、前記遊技用装置（カードユニット２０，２０’）は、前記管理装置（システムコンピュータ５０，５０’）と通信不能な状態で、前記精算用記録媒体（精算カード５）を受け付けたときに、前記有価価値記憶手段（封入カード４）に記憶されている有価価値の大きさ（入金残額）と、該遊技用装置内部に封入されている封入型記録媒体（封入カード４）の封入型記録媒体特定情報（封入カードＩＤ）とを、該受け付けた精算用記録媒体に記録する処理を前記有価価値記録処理手段（精算カードＲ／Ｗ２６）により行い、前記精算装置（６０）は、該有価価値記録処理手段により有価価値の大きさと封入型記録媒体特定情報とが記録された精算用記録媒体を受け付けたときに、該受け付けた精算用記録媒体から読み取った有価価値の大きさと封入型記録媒体特定情報とを含む精算許諾要求を前記管理装置に対して送信する精算許諾要求送信手段（通信部６１）をさらに有し、前記管理装置は、該精算許諾要求送信手段から受信した精算許諾要求に含まれる有価価値の大きさ（カード残額）が、該受信した精算許諾要求に含まれる封入型記録媒体特定情報と対応付けて前記記憶手段（ハードディスク５３，５３’）に記憶されている有価価値の大きさ（入金残額）以下であるか否かを判定する判定手段（制御部５２）と、該判定手段により、前記精算許諾要求送信手段から受信した精算許諾要求に含まれる有価価値の大きさが、該受信した精算許諾要求に含まれる封入型記録媒体特定情報と対応付けて前記記憶手段に記憶されている有価価値の大きさ以下であると判定されたことを条件として、精算を許諾する旨を示す精算許諾情報を前記精算許諾要求の送信元である精算装置に対して返信する精算許諾情報返信手段（通信部５１）と、をさらに有し、前記精算装置は、該精算許諾情報返信手段から精算許諾情報が返信されてきたことを条件として、前記受け付けた精算用記録媒体から読み取った有価価値の大きさに相当する金額の貨幣を遊技者に返却することを特徴とする遊技用システムである。
【発明の効果】
【００１５】
まず請求項１に係る遊技用システムによれば、貨幣を受け付けて遊技媒体を貸与可能とすることにより、従来の封入型記録媒体発行機能付き遊技用装置の利点（即ち遊技者の利便性の向上，遊技機の稼働率の向上，及び遊技用記録媒体のコストの低減）を維持しつつも、遊技媒体の貸与に使用されなかった有価価値の大きさである残額を遊技者に返却可能であるので、高額貨幣の入金を促進できると共に、遊技者が両替のために遊技機を離れる手間が省け、遊技機の稼働率の低下を防止できる。しかも封入型記録媒体特定情報及び精算用記録媒体特定情報と対応付けて前記残額がＩＤ管理され、封入型記録媒体特定情報と対応付けて記憶されている残額を精算用記録媒体特定情報と対応付けて記憶することにより該残額が返却されるので、セキュリティを向上できる。例えば遊技用装置の制御部に対する不正を行うことにより、封入型記録媒体の残額よりも大きい残額が精算用記録媒体に記録されるようなおそれがなくなる。
【００１６】
また請求項２に係る遊技用システムによれば、精算用記録媒体の精算用記録媒体特定情報と対応付けて記憶されている残額を貸与処理に使用可能なので、遊技者が他の遊技機で遊技を行う際に、一旦精算を行って該精算により得た貨幣を再び入金するという手間が省け、遊技者の利便性を向上できる。
【００１７】
また請求項３に係る遊技用システムによれば、残額が零となった精算用記録媒体を遊技用装置内部に留保して、該精算用記録媒体の返却操作を受け付けたときに、該留保されている精算用記録媒体の精算用記録媒体特定情報と対応付けて前記残額を記憶し、該留保されている精算用記録媒体が返却されるので、遊技場の店員による残額が零である精算用記録媒体の発行作業を軽減できると共に、前記残額を遊技者に短時間で返却できる。
【００１８】
また請求項４に係る遊技用システムによれば、残額が零となった精算用記録媒体を遊技用装置内部に留保して、該留保されている精算用記録媒体の精算用記録媒体特定情報と対応付けて前記残額を記憶し、該精算用記録媒体の返却操作を受け付けたときに、該留保されている精算用記録媒体が返却されるので、遊技場の店員による残額が零である精算用記録媒体の発行作業を軽減できると共に、前記残額を遊技者に短時間で返却できる。さらに残額を返却するにあたり、遊技用装置と管理装置とのやりとりや、管理装置における精算用記録媒体特定情報と対応付けた残額の記憶といった処理が必要なくなるので、通信負担及び管理装置における処理負担を低減できる。
【００１９】
また請求項５に係る遊技用システムによれば、遊技用装置と管理装置とが通信不能であるときに残額を精算用記録媒体に記録し、該精算用記録媒体に記録されている残額の返却が行われるので、遊技用装置と管理装置とが通信不能となった場合にも残額の返却を行うことができ、通信不能により残額を返却できないという不都合を遊技者に与えることがない。
【００２０】
さらに請求項６に係る遊技用システムによれば、精算用記録媒体に記録されている残額が管理装置に記憶されている残額以下であるときに、該精算用記録媒体に記録されている残額の返却が行われるので、遊技用装置と管理装置とが通信不能となった場合に残額の返却を行っても、セキュリティが低下することがない。
【発明を実施するための最良の形態】
【００２１】
以下、本発明の実施の形態を、図面を参照して説明する。本発明に係る遊技用システム１，１’は、図１に示すように、遊技機（パチンコ機１０）に対応して設けられ、遊技者が指触不能な態様で封入型記録媒体（封入カード４）が封入されている遊技用装置（カードユニット２０，２０’）において、貨幣（紙幣２及び／又は硬貨３）を受け付けて遊技媒体（パチンコ玉）を貸与可能であると共に、管理装置（システムコンピュータ５０）と通信可能な精算装置６０において、精算用記録媒体（精算カード５）を受け付けて前記遊技媒体の貸与に使用されなかった残額を遊技者に返却可能なものであり、特に該残額を遊技者に対して返却可能とするにあたり、管理装置において、封入型記録媒体を個々に特定可能な封入型記録媒体特定情報（封入カードＩＤ）と対応付けて記憶されている残額を、精算用記録媒体を個々に特定可能な精算用記録媒体特定情報（精算カードＩＤ）と対応付けて記憶する（振り替える）ことを特徴とするものである。
【００２２】
この遊技用システムには、遊技用装置にて精算カード５が留保されている状態で貨幣が受け付けられた（入金された）ときの処理が異なる２つの実施形態が含まれる。まず第１実施形態に係る遊技用システム１は、後述する図６に示すように、該入金された金額を入金残額として封入カードＩＤと対応付けてシステムコンピュータ５０にて記憶し、精算カード５の返却操作がカードユニット２０にて受け付けられたときに、システムコンピュータ５０にて封入カードＩＤと対応付けて記憶されている入金残額をカード残額として精算カードＩＤと対応付けて記憶して、前記留保されている精算カード５を遊技者に返却するものである。また第２実施形態に係る遊技用システム１’は、後述する図８に示すように、該入金された金額をカード残額として精算カードＩＤと対応付けてシステムコンピュータ５０’にて記憶し、精算カード５の返却操作がカードユニット２０’にて受け付けられたときに、前記留保されている精算カード５を遊技者に返却するものである。
【００２３】
以下においては、まず第１実施形態に係る遊技用システム１について説明し、次に第２実施形態に係る遊技用システム１’について第１実施形態に係る遊技用システム１と異なる点についてのみ説明する。なお、以下においては、リーダ／ライタを「Ｒ／Ｗ」と略記する。
【００２４】
［１．第１実施形態に係る遊技用システム１］
第１実施形態に係る遊技用システム１は、図１に示すように、パチンコ機１０に対応して設けられるカードユニット２０と、複数のカードユニット２０と通信可能なシステムコンピュータ５０と、該システムコンピュータ５０と通信可能な精算装置６０と、を備えている。この遊技用システム１では、紙幣２，硬貨３，封入カード４，及び精算カード５が使用される。
【００２５】
紙幣２は貨幣の一例であって、ここでは図２（ｂ）に示すように、1000円紙幣，2000円紙幣，5000円紙幣，及び10000円紙幣の４種類の紙幣である。また硬貨３も貨幣の一例であって、ここでは図２（ｂ）に示すように、100円硬貨，及び500円硬貨の２種類の硬貨である。
【００２６】
封入カード４は封入型記録媒体の一例であって、図２（ｂ）に示すように、遊技者が指触不能な態様で遊技用装置内部に封入されている。また封入カード４は有価価値記憶手段の一例でもあって、後述する記憶完了情報返信手段（システムコンピュータ５０の通信部５１）から記憶完了情報が返信されてくることを条件として、後述する貨幣受付手段（紙幣識別機２３又は硬貨識別機２４）により受け付けた貨幣の金額に相当する有価価値の大きさ（即ち入金された金額）を記憶するものである。この封入カード４には、後述する図４のＳ１５に示すように、封入カード４を個々に特定可能な封入型記録媒体特定情報である封入カードＩＤが予め記録されていると共に、前記入金された金額に相当する有価価値の大きさが入金残額として記録（記憶）される。
【００２７】
精算カード５は精算用記録媒体の一例であって、図２（ｃ）に示すように、遊技場の店員により発行され、遊技用装置外部から挿入されて使用される。この精算カード５には、後述する図４のＳ３５に示すように、精算カード５を個々に特定可能な精算用記録媒体特定情報である精算カードＩＤが記録されていると共に、カード残額が記録される。
【００２８】
これら封入カード４及び精算カード５は、長方形状を呈するプラスチック製の薄板における所定の部位に、封入カードＩＤ及び入金残額や精算カードＩＤ及びカード残額等が記録される記録領域（図示外）が形成されてなるものであり、ここでは該記録領域として不揮発性のＥＥＰＲＯＭを備える非接触式の集積回路を搭載したＩＣカードである。以下、遊技用システム１の各構成要素について説明する。
【００２９】
カードユニット２０は遊技用装置の一例であって、図１及び図２（ａ）に示すように、パチンコ機１０に対応して（ここではパチンコ機１０の左側に隣接して）設けられている。ここでパチンコ機１０は遊技機の一例であって、遊技場における遊技島（図示外）において機種等に従って所定の位置に配置され、遊技媒体であるパチンコ玉を遊技領域に打ち込むことにより遊技を行うものであり、ここでは対応するカードユニット２０と通信可能であり、該カードユニット２０との間でパチンコ玉の貸与に関する信号のやり取りが行われて玉貸処理が行われる、いわゆるＣＲ式のパチンコ機である。
【００３０】
このパチンコ機１０は、図２（ａ）に示すように、その前面に遊技領域，上皿，下皿，及び発射ハンドル等を備えると共に、残度数表示器１４，玉貸ボタン１５，及び精算カード返却ボタン１６を備え、図１に示すように、その内部に遊技制御基板１１，払出制御基板１２，及び玉払出装置１３等を備えており、これらの各構成要素は図１に示すように接続されている。
【００３１】
遊技制御基板１１は、パチンコ機１０における遊技状態を制御するものである。払出制御基板１２は、カードユニット２０の後述する玉貸通信部２１ｂと通信可能に接続され、パチンコ機１０とカードユニット２０との間における通信を司るものである。これにより、玉貸処理が行われる場合に、パチンコ機１０とカードユニット２０との間でパチンコ玉の貸出に関する信号のやり取りが行われる。また払出制御基板１２は、玉払出装置１３と接続され、該玉払出装置１３を制御するものである。さらに払出制御基板１２は、残度数表示器１４，玉貸ボタン１５，及び精算カード返却ボタン１６とも接続されている。玉払出装置１３は、玉貸処理が行われて遊技者に貸し出されたパチンコ玉や、遊技の結果として遊技者に付与されるパチンコ玉（いわゆる賞球）を払い出すものである。ここで残度数表示器１４，玉貸ボタン１５，及び精算カード返却ボタン１６は、パチンコ機１０の前面に配置されているものであるが、前記払出制御基板１２を介してカードユニット２０と通信可能に接続されているため、カードユニット２０に属するものである。
【００３２】
残度数表示器１４は、封入カード４に記録された入金残額に相当する残度数又は精算カード５に記録されたカード残額に相当する残度数を表示するための表示器である。ここで残度数は、入金残額やカード残額が所定の比率で変換されたもの（例えば１００円＝１度数）である。玉貸ボタン１５は、封入カード４に記録された入金残額又は精算カード５に記録されたカード残額を使用した玉貸操作を受け付けるボタンである。精算カード返却ボタン１６は返却操作受付手段の一例であって、後述する精算カードＲ／Ｗ２６により受け付けている精算カード５（又は後述する留保手段である精算カードＲ／Ｗ２６により留保している精算カード５）を遊技者に返却するための返却操作を受け付けるボタンである。
【００３３】
カードユニット２０は、縦長の箱型の形状を呈するものであり、図２（ａ）に示すように、その前面に多機能ランプ２７，紙幣挿入口２３ａ，硬貨挿入口２４ａ，硬貨返却ボタン２４ｅ，硬貨返却口２４ｆ，封入カード確認窓２５ａ，及び精算カード挿入口２６ａ等を備え、図２（ｂ）及び図２（ｃ）に示すように、その内部に紙幣識別機２３，システムコンピュータ用通信部２１ａ，玉貸通信部２１ｂ，制御部２２，硬貨識別機２４，封入カードＲ／Ｗ２５，精算カードＲ／Ｗ２６，及び精算カード回収部２６ｂ等を備えており、これらの各構成要素は図１に示すように接続されている。
【００３４】
システムコンピュータ用通信部２１ａは、システムコンピュータ５０の後述する通信部５１と通信可能に接続されており、カードユニット２０とシステムコンピュータ５０との間における通信を司るものであるが、その機能の詳細については後述する。玉貸通信部２１ｂは、前述の如くパチンコ機１０の払出制御基板１２と通信可能に接続されている。
【００３５】
制御部２２は、ＣＰＵ，ＲＡＭ，ＲＯＭ等を備えており、ＲＯＭに記憶されている処理プログラムがＲＡＭを作業領域としてＣＰＵで実行されることにより、カードユニット２０に備えられる各構成要素の動作を制御して各種の処理を行うものである。この制御部２２は、後述する留保手段（精算カードＲ／Ｗ２６）により精算カード５を留保しているか否かの判定（精算カード５の留保の判定）を行う。また制御部２２は、遊技用装置内部に封入されている封入カード４に入金残額が記録されているか否か，及び精算カードＲ／Ｗ２６により受け付けた精算カード５にカード残額が記録されているか否かの判定（残額の有無の判定）も行う。
【００３６】
また制御部２２は貸与処理手段の一例であって、後述する貨幣受付手段（紙幣識別機２３又は硬貨識別機２４）により受け付けた貨幣の金額に相当する有価価値の大きさ（即ち入金された金額）の範囲内における所定の大きさの有価価値（玉貸設定金額）に相当する遊技媒体（パチンコ玉）を貸与するための貸与処理（玉貸処理）を行うものであり、具体的には、玉貸ボタン１５が操作されて玉貸操作を受け付けたときに、封入カード４に記録された入金残額と予め設定された玉貸設定金額（例えば５００円）とを比較して、入金残額≧玉貸設定金額であれば該玉貸設定金額に相当するパチンコ玉の払出を払出制御基板１２に対して指示する処理を行い、入金残額＜玉貸設定金額であれば該入金残額に相当するパチンコ玉の払出を払出制御基板１２に対して指示する処理を行う。
【００３７】
また貸与処理手段として機能する制御部２２は、後述する貸与許諾情報返信手段（システムコンピュータ５０の通信部５１）から貸与許諾情報が返信されてきたことを条件として、後述する記憶手段（システムコンピュータ５０のハードディスク５３）に記憶されている有価価値の大きさ（ここでは精算カード５に記録されているカード残額）の範囲内における所定の大きさの有価価値（玉貸設定金額）に相当する遊技媒体（パチンコ玉）を貸与するための貸与処理（玉貸処理）を行うものであり、具体的には、玉貸ボタン１５が操作されて玉貸操作を受け付けたときに、精算カード５に記録されたカード残額と予め設定された玉貸設定金額（例えば５００円）とを比較して、カード残額≧玉貸設定金額であれば該玉貸設定金額に相当するパチンコ玉の払出を払出制御基板１２に対して指示する処理を行い、カード残額＜玉貸設定金額であれば該カード残額に相当するパチンコ玉の払出を払出制御基板１２に対して指示する処理を行う。
【００３８】
また制御部２２は有価価値減算処理手段の一例であって、前記貸与処理手段（制御部２２）により遊技媒体（パチンコ玉）の貸与に使用される有価価値の大きさ（使用金額）を前記有価価値記憶手段（封入カード４）に記憶されている有価価値の大きさ（入金残額）から減算する有価価値減算処理を行うものであり、具体的には、前記玉貸処理が行われたときに、入金残額≧玉貸設定金額であれば該玉貸設定金額を使用金額として封入カード４に記録された入金残額から減算する処理を行い、入金残額＜玉貸設定金額であれば該入金残額を使用金額として封入カード４に記録された入金残額から減算する処理を行う（即ち入金残額が零になる）。
【００３９】
また有価価値減算処理手段として機能する制御部２２は、前記貸与処理手段（制御部２２）により遊技媒体（パチンコ玉）の貸与に使用される有価価値の大きさ（使用金額）を前記精算用記録媒体（精算カード５）に記録されている有価価値の大きさ（カード残額）から減算する有価価値減算処理を行うものであり、具体的には、前記玉貸処理が行われたときに、カード残額≧玉貸設定金額であれば該玉貸設定金額を使用金額として精算カード５に記録されたカード残額から減算する処理を行い、カード残額＜玉貸設定金額であれば該カード残額を使用金額として精算カード５に記録されたカード残額から減算する処理を行う（即ちカード残額が零になる）。
【００４０】
このカードユニット２０において玉貸処理が行われるときには、該カードユニット２０と対応するパチンコ機１０との間で、以下のような信号のやり取りが行われる。
【００４１】
まずカードユニット２０は、玉貸ボタン１５の操作を制御部２２により検出すると、１度数に相当するパチンコ玉数（例えば消費税を考慮しないのであれば２５個、消費税を考慮するのであれば消費税率に応じて２４個，２３個…等の、具体的な玉数であり、予めシステムコンピュータ５０等により設定されて各カードユニット２０に対して配信されている）である払出要求玉数のパチンコ玉の払出を要求する払出要求信号をパチンコ機１０の払出制御基板１２に対して送信する。
【００４２】
該払出要求信号を受信したパチンコ機１０は、前記払出要求玉数のパチンコ玉の払出を指示する払出信号を払出制御基板１２から玉払出装置１３に対して出力し、これに基づいて、玉払出装置１３から払出要求玉数分のパチンコ玉の払出を行い、該払出の終了に基づいて、実際に払い出したパチンコ玉の数である払出結果玉数を示す払出結果信号をカードユニット２０の制御部２２に対して送信する。
【００４３】
該払出結果信号を受信したカードユニット２０は、前記払出要求信号に示される払出要求玉数と、該払出結果信号に示される払出結果玉数とを照合し、照合ＯＫである場合には、１度数分の前記減算処理として、封入カード４に記録された入金残額又は精算カード５に記録されたカード残額からパチンコ玉の貸与に使用された１度数に相当する金額を減算すると共に、残度数表示器１４に表示された残度数から１度数を減算する。そしてカードユニット２０は、これら１度数分の玉貸処理を玉貸設定度数分だけ繰り返し、該玉貸設定度数分の玉貸処理の終了に基づいて、玉貸終了信号をパチンコ機１０の払出制御基板１２に対して送信し、玉貸処理を終了する。
【００４４】
なおパチンコ機１０において、玉払出装置１３から払い出されたパチンコ玉は、上皿に供給され、発射ハンドルの操作により遊技領域の内部に打ち込まれて、遊技が行われる。そして該打ち込まれたパチンコ玉が、遊技領域に形成された入賞口に入賞すると、払出制御基板１２から発せられる払出信号に基づいて、賞球として玉払出装置１３からパチンコ玉が払い出されて、上皿又は下皿に供給される。
【００４５】
紙幣識別機２３は貨幣受付手段の一例であって、貨幣を受け付けるものであり、ここでは図２（ｂ）に示すように、入金残額及びカード残額が零である状態で、紙幣挿入口２３ａから前記４種類の紙幣２を受け付けて、該受け付けた紙幣２を識別する識別機である。なお紙幣識別機２３により受け付けられた紙幣２は、紙幣通路２３ｂを通じてカードユニット２０の背面から外部に排出され、遊技島に設けられた紙幣搬送機構（図示外）により搬送されて、金庫（図示外）に回収される。
【００４６】
硬貨識別機２４も貨幣受付手段の一例であって、貨幣を受け付けるものであり、ここでは図２（ｂ）に示すように、入金残額及びカード残額が零である状態で、硬貨挿入口２４ａから前記２種類の硬貨３を受け付けて、硬貨通路２４ｂを通じて搬送された硬貨３を識別する識別機である。なお硬貨識別機２４により受け付けられた硬貨３も、硬貨通路２４ｃを通じてカードユニット２０の背面から外部に排出され、遊技島に設けられた硬貨搬送機構（図示外）により搬送されて、金庫（図示外）に回収される。硬貨返却ボタン２４ｅは、硬貨通路２４ｂや硬貨識別機２４において詰まった硬貨３の返却操作を受け付けるためのボタンであり、遊技者により硬貨返却ボタン２４ｅが操作されると、該詰まった硬貨３が硬貨通路２４ｄを通じて硬貨返却口２４ｆに戻る。
【００４７】
封入カードＲ／Ｗ２５は、該封入カードＲ／Ｗ２５の内部に封入されている封入カード４に対して入金残額を記録する（書き込む）と共に、該封入カード４に記録された封入カードＩＤ及び入金残額を読み取るものであり、ここでは前記ＩＣカードである封入カード４に対応したＩＣカードＲ／Ｗを備えている。なお封入カードＲ／Ｗ２５の内部に封入されている封入カード４は、封入カード確認窓２５ａを介して遊技者が視認可能であると共に指触不能である。
【００４８】
精算カードＲ／Ｗ２６は、精算カード挿入口２６ａから精算カード５を受け付けて、該受け付けた精算カード５に対してカード残額を記録する（書き込む）と共に、該精算カード５に記録された精算カードＩＤ及びカード残額を読み取るものであり、ここでは前記ＩＣカードである精算カード５に対応したＩＣカードＲ／Ｗを備えている。
【００４９】
この精算カードＲ／Ｗ２６は留保手段の一例であって、前記受け付けている精算カード５の精算カードＩＤと対応付けて後述する記憶手段（システムコンピュータ５０のハードディスク５３）に記憶されている有価価値の大きさ（カード残額）が後述する減算処理手段（システムコンピュータ５０の制御部５２）による減算処理後に零になったときに、該受け付けている精算カード５を遊技用装置内部に留保するものであり、具体的には、該受け付けている精算カード５のカード残額が零になっても、該精算カード５を精算カード挿入口２６ａから排出せずに、精算カードＲ／Ｗ２６の内部に留保（保持）しておく。
【００５０】
また精算カードＲ／Ｗ２６は有価価値記録処理手段の一例であって、精算カード５を受け付けたときに、前記有価価値記憶手段（封入カード４）に記憶されている有価価値の大きさ（入金残額）を該受け付けた精算カード５に記録する処理を行うものである。ここでカードユニット２０とシステムコンピュータ５０とが通信可能な状態（オンライン状態）では、前記精算カード５を受け付けた後、後述する遊技終了許諾情報返信手段（システムコンピュータ５０の通信部５１）から遊技終了許諾情報が返信されてきたときに、入金残額をカード残額として精算カード５に記録する処理を行い、カードユニット２０とシステムコンピュータ５０とが通信不能な状態（オフライン状態）では、前記精算カード５を受け付けたときに、入金残額をカード残額として精算カード５に記録する処理を行うと共に封入カードＩＤを記録する処理を行う。
【００５１】
精算カード回収部２６ｂは、精算カードＩＤと対応付けて後述する記憶手段（システムコンピュータ５０のハードディスク５３）に記憶されている有価価値の大きさ（カード残額）が零である精算カード５（即ちカード残額無しの精算カード５）を前記留保手段によって遊技用装置内部に留保している状態で、該留保している精算カード５とは別の精算カード５を受け付けたときに、前記留保手段による留保を解除して該留保していた精算カード５を回収するものであり、具体的には、該留保していた精算カード５をカードユニット２０の背面方向に搬送して精算カード回収部２６ｂの内部に回収（収納）する。この精算カード回収部２６ｂは、複数枚の精算カード５を回収可能である。
【００５２】
多機能ランプ２７は、予め定められた複数の色のうちのいずれかの色で点灯又は点滅することによってカードユニット２０の状態を報知するランプである。この多機能ランプ２７は、封入カード４に入金残額が記録されているときに、例えば緑色で点灯することによって、その旨の報知を行う。また多機能ランプ２７は、封入カード４に入金残額が記録されており、かつ精算カード５が受け付けられていない状態で、精算カード返却ボタン１６により返却操作が受け付けられたときに、例えば緑色で点滅することによって、精算カード５の受付を促す報知を行う。さらに多機能ランプ２７は、カード残額無しの精算カード５が前記留保手段によって遊技用装置内部に留保されているときに、例えば黄色で点灯することによって、その旨の報知を行う。
【００５３】
ここで前記システムコンピュータ用通信部２１ａは封入型記録媒体入金情報送信手段の一例であって、後述する図４のＳ１２に示すように、貨幣受付手段（紙幣識別機２３又は硬貨識別機２４）により受け付けた貨幣の金額に相当する有価価値の大きさ（即ち入金された金額）と、遊技用装置内部に封入されている封入カード４の封入カードＩＤと、を含む封入型記録媒体入金情報を遊技用装置外部のシステムコンピュータ５０に対して送信するものであり、具体的には、留保手段（精算カードＲ／Ｗ２６）により精算カード５が遊技用装置内部に留保されていない状態で貨幣受付手段により貨幣を受け付けたときに、該封入型記録媒体入金情報をシステムコンピュータ５０に対して送信する。
【００５４】
また前記システムコンピュータ用通信部２１ａは精算用記録媒体特定情報送信手段の一例であって、後述する図４のＳ４２に示すように、遊技用装置外部から精算カード５を受け付けたときに、該受け付けた精算カード５から読み取った精算カードＩＤを遊技用装置外部のシステムコンピュータ５０に対して送信するものであり、ここでは該受け付けた精算カード５にカード残額が記録されていると制御部２２により判定されたことを条件として、前記精算カードＩＤと共に、該受け付けた精算カード５から読み取ったカード残額も送信する。
【００５５】
また前記システムコンピュータ用通信部２１ａは貸与情報送信手段の一例であって、後述する図４のＳ２３に示すように、入金残額を使用した玉貸処理が行われるときに、貸与処理手段（制御部２２）により貸与処理（玉貸処理）に使用される有価価値の大きさ（即ち使用金額）と、遊技用装置内部に封入されている封入カード４の封入カードＩＤと、を含む貸与情報を遊技用装置外部のシステムコンピュータ５０に対して送信するものである。
【００５６】
また貸与情報送信手段として機能する前記システムコンピュータ用通信部２１ａは、後述する図４のＳ５３に示すように、カード残額を使用した玉貸処理が行われるときに、貸与処理手段（制御部２２）により貸与処理（玉貸処理）に使用される有価価値の大きさ（即ち使用金額）と、前記受け付けた精算カード５から読み取った精算カードＩＤと、を含む貸与情報を遊技用装置外部のシステムコンピュータ５０に対して送信する。
【００５７】
また前記システムコンピュータ用通信部２１ａは遊技終了処理要求送信手段の一例であって、後述する図４のＳ３２に示すように、遊技用装置外部から精算カード５を受け付けたときに、該受け付けた精算カード５から読み取った精算カードＩＤと、当該遊技用装置内部に封入されている封入カード４の封入カードＩＤと、を含む遊技終了処理要求を遊技用装置外部のシステムコンピュータ５０に対して送信するものであり、ここでは封入カード４に入金残額が記録されており、かつ該受け付けた精算カード５にカード残額が記録されていないと制御部２２により判定されたことを条件として、前記遊技終了要求を送信する。
【００５８】
また遊技終了処理要求送信手段として機能する前記システムコンピュータ用通信部２１ａは、後述する図６のＳ８２に示すように、留保手段（精算カードＲ／Ｗ２６）により精算カード５が遊技用装置内部に留保されている状態で精算カード返却ボタン１６により返却操作を受け付けたときに、該留保されている精算カード５の精算カードＩＤと、当該遊技用装置内部に封入されている封入カード４の封入カードＩＤと、を含む遊技終了処理要求を遊技用装置外部のシステムコンピュータ５０に対して送信するものであり、ここでは精算カード５が留保されており、かつ封入カード４に入金残額が記録されていると制御部２２により判定されたことを条件として、前記遊技終了要求を送信する。
【００５９】
システムコンピュータ５０は管理装置の一例であって、遊技場内の所定箇所（例えば管理事務所等）に設けられるものであり、図１に示すように接続される通信部５１，制御部５２，及びハードディスク５３等を備えている。
【００６０】
通信部５１は、前述の如くカードユニット２０のシステムコンピュータ用通信部２１ａと通信可能に接続されており、システムコンピュータ５０とカードユニット２０との間における通信を司るものであると共に、精算装置６０の後述する通信部６１と通信可能に接続されており、システムコンピュータ５０と精算装置６０との間における通信を司るものであるが、その機能の詳細については後述する。
【００６１】
ハードディスク５３は記憶手段の一例であって、後述する図４のＳ１３に示すように、封入型記録媒体入金情報送信手段から受信した封入型記録媒体入金情報に含まれる入金残額と封入カードＩＤとを対応付けて記憶するものである。また記憶手段として機能するハードディスク５３は、後述する図４のＳ３３及び図６のＳ８３に示すように、遊技終了処理要求手段から受信した遊技終了処理要求に含まれる封入カードＩＤと対応付けて記憶されている入金残額を、該受信した遊技終了処理要求に含まれる精算カードＩＤと対応付けてカード残額として記憶する（即ち入金残額をカード残額に振り替えて記憶する）。
【００６２】
制御部５２は、ＣＰＵ，ＲＡＭ，ＲＯＭ等を備えており、ハードディスク５３に記憶されている処理プログラムがＲＡＭを作業領域としてＣＰＵで実行されることにより、システムコンピュータ５０に備えられる各構成要素の動作を制御して各種の処理を行うものである。
【００６３】
この制御部５２は減算処理手段の一例であって、後述する図４のＳ２４に示すように、貸与情報送信手段から使用金額と封入カードＩＤとを含む貸与情報を受信したときに、該受信した貸与情報に含まれる使用金額を、該受信した貸与情報に含まれる封入カードＩＤと対応付けてハードディスク５３に記憶されている有価価値の大きさ（入金残額）から減算する減算処理を行うものである。
【００６４】
また減算処理手段として機能する制御部５２は、後述する図４のＳ５４に示すように、貸与情報送信手段から使用金額と精算カードＩＤとを含む貸与情報を受信したときに、該受信した貸与情報に含まれる使用金額を、該受信した貸与情報に含まれる精算カードＩＤと対応付けてハードディスク５３に記憶されている有価価値の大きさ（カード残額）から減算する減算処理を行う。
【００６５】
また制御部５２は判定手段の一例であって、後述する図７のＳ１０３に示すように、精算装置６０の後述する精算許諾要求送信手段（通信部６１）からカード残額と精算カードＩＤとを含む精算許諾要求を受信したときに、該受信した精算許諾要求に含まれるカード残額が、該受信した精算許諾要求に含まれる精算カードＩＤと対応付けてハードディスク５３に記憶されているか否かを判定するものである。
【００６６】
また判定手段として機能する制御部５２は、後述する図７のＳ１０３’に示すように、精算装置６０の後述する精算許諾要求送信手段（通信部６１）からカード残額と封入カードＩＤとを含む精算許諾要求を受信したときに、該受信した精算許諾要求に含まれるカード残額が、該受信した精算許諾要求に含まれる封入カードＩＤと対応付けてハードディスク５３に記憶されている入金残額以下であるか否か（即ちカード残額≦入金残額であるか否か）を判定するものである。
【００６７】
ここで前記通信部５１は記憶完了情報返信手段の一例であって、封入型記録媒体入金情報送信手段から受信した封入型記録媒体入金情報に含まれる有価価値の大きさ（入金残額）と封入カードＩＤとを対応付けてハードディスク５３により記憶したときに、該記憶の完了を示す旨の記憶完了情報を前記封入カードＩＤの送信元であるカードユニット２０に対して返信するものである。
【００６８】
また前記通信部５１は遊技終了許諾情報返信手段の一例であって、遊技終了処理要求送信手段から受信した遊技終了処理要求に含まれる封入カードＩＤと対応付けてハードディスク５３に記憶されている有価価値の大きさ（入金残額）を、該受信した遊技終了処理要求に含まれる精算カードＩＤと対応付けてハードディスク５３により記憶したときに、遊技の終了を許諾する旨の遊技終了許諾情報を前記遊技終了処理要求の送信元であるカードユニット２０に対して返信するものである。
【００６９】
また前記通信部５１は貸与許諾情報返信手段の一例であって、精算用記録媒体特定情報送信手段から受信した精算カードＩＤと対応付けてハードディスク５３に有価価値の大きさ（カード残額）が記憶されていることを条件として、貸与許諾情報を前記精算カードＩＤの送信元であるカードユニット２０に対して返信するものである。
【００７０】
また前記通信部５１は精算許諾情報返信手段の一例であって、精算装置６０の後述する精算許諾要求送信手段（通信部６１）からカード残額と精算カードＩＤとを含む精算許諾要求を受信したときに、判定手段（制御部５２）により、該受信した精算許諾要求に含まれるカード残額が、該受信した精算許諾要求に含まれる精算カードＩＤと対応付けてハードディスク５３に記憶されている（即ち照合ＯＫである）と判定されたことを条件として、精算を許諾する旨を示す精算許諾情報を前記精算許諾要求の送信元である精算装置６０に対して返信するものである。なお照合ＮＧであると判定されたときには、精算を許諾しない旨を示す精算不許諾情報を返信する。
【００７１】
また精算許諾情報返信手段として機能する前記通信部５１は、精算装置６０の後述する精算許諾要求送信手段（通信部６１）からカード残額と封入カードＩＤとを含む精算許諾要求を受信したときに、判定手段（制御部５２）により、該受信した精算許諾要求に含まれるカード残額が、該受信した精算許諾要求に含まれる封入カードＩＤと対応付けてハードディスク５３に記憶されている有価価値の大きさ（入金残額）以下である（即ちカード残額≦入金残額である）と判定されたことを条件として、精算を許諾する旨を示す精算許諾情報を前記精算許諾要求の送信元である精算装置６０に対して返信する。なおカード残額≦入金残額でないと判定されたときには、精算を許諾しない旨を示す精算不許諾情報を返信する。
【００７２】
精算装置６０は、遊技場内の所定箇所（例えば遊技島の端部や景品交換カウンタの近傍等）に設けられ、図３（ａ）に示すように、キオスク端末型の形状を呈するものであり、その前面に精算カード挿入口６３ａ，紙幣払出口６５ａ，硬貨払出口６６ａ，及びディスプレイ６４等を備え、図１に示すように、その内部に通信部６１，制御部６２，精算カードＲ／Ｗ６３，紙幣払出機６５，及び硬貨払出機６６等を備えており、これらの各構成要素は図１に示すように接続されている。
【００７３】
通信部６１は、システムコンピュータ５０の通信部５１と通信可能に接続されており、精算装置６０とシステムコンピュータ５０との間における通信を司るものである。この通信部６１は精算許諾要求送信手段の一例であって、後述する図７（ａ）のＳ１０２に示すように、精算カードＩＤとカード残額とが記録された精算カード５を受け付けたときに、該受け付けた精算カード５から読み取ったカード残額と精算カードＩＤとを含む精算許諾要求をシステムコンピュータ５０に対して送信するものである。また精算許諾要求送信手段として機能する通信部６１は、後述する図７（ｂ）のＳ１０２’に示すように、精算カードＩＤとカード残額と封入カードＩＤとが記録された精算カード５を受け付けたときに、該受け付けた精算カード５から読み取ったカード残額と封入カードＩＤとを含む精算許諾要求をシステムコンピュータ５０に対して送信する。
【００７４】
制御部６２は、ＣＰＵ，ＲＡＭ，ＲＯＭ等を備えており、ＲＯＭに記憶されている処理プログラムがＲＡＭを作業領域としてＣＰＵで実行されることにより、精算装置６０に備えられる各構成要素の動作を制御して各種の処理を行うものである。
【００７５】
精算カードＲ／Ｗ６３は、精算カード挿入口６３ａから精算カード５を受け付けて、該精算カード５に記録された精算カードＩＤ及びカード残額（並びに封入カードＩＤが記録されている場合には該封入カードＩＤ）を読み取ると共に、該受け付けた精算カード５からカード残額（並びに封入カードＩＤが記録されている場合には該封入カードＩＤ）を消去するものであり、ここでは前記ＩＣカードである精算カード５に対応したＩＣカードＲ／Ｗを備えている。
【００７６】
精算カード回収部６３ｂは、精算カードＲ／Ｗ６３により受け付けている精算カード５からカード残額（並びに封入カードＩＤが記録されている場合には該封入カードＩＤ）が消去されたときに、該受け付けている精算カード５を回収するものであり、具体的には、該受け付けている精算カード５を精算装置６０の背面方向に搬送して精算カード回収部６３ｂの内部に回収（収納）する。この精算カード回収部６３ｂは、複数枚の精算カード５を回収可能である。
【００７７】
ディスプレイ６４は、図３（ｂ）に示すように、各種の情報を表示するための表示デバイスである。このディスプレイ６４では、精算カード５を受付可能なときに、Ｄ１に示すように、精算カード５の挿入を促す旨が表示される。また後述する図７（ａ）のＳ１０５又は図７（ｂ）のＳ１０５’において貨幣を返却するときに、Ｄ２に示すように、残額を返却する旨，及び精算カード５を回収する旨が表示される。なお図７（ａ）のＳ１０３又は図７（ｂ）のＳ１０３’に示す処理において精算カード５に記録されたカード残額≦ハードディスク５３に記憶されている入金残額でないときには、Ｄ３に示すように、精算カード５に異常がある旨が表示される。
【００７８】
紙幣払出機６５及び硬貨払出機６６は、精算許諾情報返信手段から精算許諾情報が返信されてきたことを条件として、カード残額に相当する金額の貨幣を遊技者に返却するものであり、具体的には、紙幣払出機６５の背後に設けられる紙幣収納部６５ｂから所定数の紙幣２を取り出して紙幣払出口６５ａから払い出すと共に、硬貨払出機６６の上部に設けられる硬貨収納部６６ｂから所定数の硬貨３を取り出して硬貨払出口６６ａから払い出す。
【００７９】
以上に説明した遊技用システム１の作用について説明する。まずカードユニット２０の制御部２２においては、カードユニット２０とシステムコンピュータ５０とが通信可能（オンライン状態）であるか，又は通信不能（オフライン状態）であるかの判定が行われる。具体的には、例えばシステムコンピュータ５０からカードユニット２０に対して定期的（例えば１０秒毎）に送信されてくる信号に基づいて、該信号の受信を定期的に検出している間はオンライン状態であると判定され、該信号の受信を一定期間（例えば１分間）検出しなくなるとオフライン状態であると判定される。ここでオンライン状態（即ちカードユニット２０とシステムコンピュータ５０とが通信可能な状態）であると判定されるときには、図４に示す処理が行われ、オフライン状態（即ちカードユニット２０とシステムコンピュータ５０とが通信不能な状態）であると判定されるときには、図５に示す処理が行われる。
【００８０】
まず図４を参照して、オンライン状態であって精算カード５が留保されていない状態におけるカードユニット２０とシステムコンピュータ５０の作用について説明する。まず入金残額が零であるカードユニット２０において、紙幣識別機２３又は硬貨識別機２４により紙幣２又は硬貨３が受け付けられて入金（ここでは10000円）がされると、精算カードＲ／Ｗ２６にカード残額無しの精算カード５が留保されているか否かを制御部２２により判定する（Ｓ１１）。ここではカード残額無しの精算カード５が留保されていないと判定されるので、システムコンピュータ５０に対して、該入金された金額と封入カードＩＤとを含む封入型記録媒体入金情報を送信する（Ｓ１２）。
【００８１】
該封入型記録媒体入金情報を受信したシステムコンピュータ５０においては、該受信した封入型記録媒体入金情報に含まれる入金された金額を入金残額として、該受信した封入型記録媒体入金情報に含まれる封入カードＩＤと対応付けてハードディスク５３に記憶し（Ｓ１３）、封入型記録媒体入金情報の送信元であるカードユニット２０に対して、記憶完了情報を返信する（Ｓ１４）。そしてカードユニット２０においては、該記憶完了情報が返信されてきたことを条件として、前記入金された金額を入金残額として封入カード４に記録する（Ｓ１５）。
【００８２】
次にカードユニット２０において、玉貸ボタン１５が操作されて玉貸操作が受け付けられると、残額の有無を制御部２２により判定する（Ｓ２１）。ここでは封入カード４に入金残額が記録されている（即ち入金残額有り）と判定されるので、入金残額を使用した玉貸処理を貸与処理手段である制御部２２により行うと共に、封入カード４に記録された入金残額からパチンコ玉の貸与に使用される使用金額（ここでは500円）を減算する有価価値減算処理を有価価値減算処理手段である制御部２２により行い、残度数表示器１４に表示された残度数から使用金額に相当する度数を減算して（Ｓ２２）、システムコンピュータ５０に対して、使用金額と封入カードＩＤとを含む貸与情報を送信する（Ｓ２３）。該貸与情報を受信したシステムコンピュータ５０においては、該受信した貸与情報に含まれる封入カードＩＤと対応付けてハードディスク５３に記憶されている入金残額から該受信した貸与情報に含まれる使用金額を減算する減算処理を減算処理手段である制御部５２により行う（Ｓ２４）。
【００８３】
次にカードユニット２０において、精算カードＲ／Ｗ２６により精算カード５（ここでは精算カードＩＤがSC0001でカード残額が零のもの）が受け付けられると、残額の有無を制御部２２により判定する（Ｓ３１）。ここでは封入カード４に入金残額が記録されており（即ち入金残額有り）、かつ精算カード５にカード残額が記録されていない（即ちカード残額無し）と判定されるので、システムコンピュータ５０に対して、精算カードＩＤと封入カードＩＤとを含む遊技終了処理要求を送信する（Ｓ３２）。
【００８４】
該遊技終了処理要求を受信したシステムコンピュータ５０においては、該受信した遊技終了処理要求に含まれる封入カードＩＤと対応付けてハードディスク５３に記憶されている入金残額を、該受信した遊技終了処理要求に含まれる精算カードＩＤと対応付けてカード残額として記憶（振替）すると共に、入金残額を零にして（Ｓ３３）、遊技終了処理要求の送信元であるカードユニット２０に対して、遊技終了許諾情報を返信する（Ｓ３４）。そしてカードユニット２０においては、該遊技終了許諾情報が返信されてきたことを条件として、入金残額をカード残額として精算カード５に記録し、封入カード４に記録されている入金残額を消去すると共に残度数表示器１４に表示されている残度数を零クリアして（Ｓ３５）、カード残額有りとなった精算カード５を精算カード挿入口２６ａから排出して遊技者に返却する（Ｓ３６）。
【００８５】
このように、貨幣を受け付けて遊技媒体を貸与可能とすることにより、従来の封入型記録媒体発行機能付き遊技用装置の利点（即ち遊技者の利便性の向上，遊技機の稼働率の向上，及び遊技用記録媒体のコストの低減）を維持しつつも、遊技媒体の貸与に使用されなかった入金残額を遊技者に返却可能であるので、高額貨幣の入金を促進できると共に、遊技者が両替のために遊技機を離れる手間が省け、遊技機の稼働率の低下を防止できる。しかも封入カードＩＤ及び精算カードＩＤと対応付けて入金残額がＩＤ管理され、封入カードＩＤと対応付けて記憶されている入金残額を精算カードＩＤと対応付けてカード残額として記憶することにより該残額が返却可能とされるので、セキュリティを向上できる。
【００８６】
次にカードユニット２０において、精算カードＲ／Ｗ２６により精算カード５（ここでは精算カードＩＤがSC0002でカード残額が500円のもの）が受け付けられると、精算カード５から精算カードＩＤとカード残額を読み取り、残額の有無を制御部２２により判定する（Ｓ４１）。ここでは精算カード５にカード残額が記録されている（即ちカード残額有り）と判定されるので、システムコンピュータ５０に対して、カード残額と精算カードＩＤを送信する（Ｓ４２）。
【００８７】
該カード残額と精算カードＩＤを受信したシステムコンピュータ５０においては、該受信したカード残額と、該受信した精算カードＩＤと対応付けてハードディスク５３に記憶されているカード残額との照合を行い（Ｓ４３）、照合ＯＫ（即ち受信したカード残額≦記憶されているカード残額）であることを条件として、前記カード残額と精算カードＩＤの送信元であるカードユニット２０に対して、貸与許諾情報を返信する（Ｓ４４）。該貸与許諾情報を受信したカードユニット２０においては、前記読み取ったカード残額に相当する残度数を残度数表示器１４に表示し、玉貸操作を受付可能な状態となる（Ｓ４５）。なおＳ４３で照合ＮＧであるときには、貸与不可情報を返信し、該貸与不可情報を受信したカードユニット２０においては、受け付けている精算カード５が返却される。
【００８８】
次にカードユニット２０において、玉貸ボタン１５が操作されて玉貸操作が受け付けられると、残額の有無を制御部２２により判定する（Ｓ５１）。ここでは精算カード５にカード残額が記録されている（即ちカード残額有り）と判定されるので、カード残額を使用した玉貸処理を貸与処理手段である制御部２２により行うと共に、精算カード５に記録されたカード残額からパチンコ玉の貸与に使用される使用金額（ここでは500円）を減算する有価価値減算処理を有価価値減算処理手段である制御部２２により行い、残度数表示器１４に表示された残度数から使用金額に相当する度数を減算して（Ｓ５２）、システムコンピュータ５０に対して、使用金額と精算カードＩＤとを含む貸与情報を送信する（Ｓ５３）。該貸与情報を受信したシステムコンピュータ５０においては、該受信した貸与情報に含まれる精算カードＩＤと対応付けてハードディスク５３に記憶されているカード残額から該受信した貸与情報に含まれる使用金額を減算する減算処理を減算処理手段である制御部５２により行う（Ｓ５４）。
【００８９】
このように、精算カード５の精算カードＩＤと対応付けて記憶されているカード残額を貸与処理に使用可能なので、遊技者が他の遊技機で遊技を行う際に、一旦精算を行って該精算により得た貨幣を再び入金するという手間が省け、遊技者の利便性を向上できる。
【００９０】
このカードユニット２０において、精算カードＲ／Ｗ２６により受け付けている精算カード５の精算カードＩＤと対応付けてハードディスク５３に記憶されているカード残額が減算処理手段である制御部５２による減算処理後に零になると（ここでは該受け付けている精算カード５に記録されているカード残額が零になると）、該受け付けている精算カード５を遊技用装置内部に留保し（Ｓ５５）、カード残額無しの精算カード５を留保している旨の報知を、多機能ランプ２７を黄色点灯することにより開始する（Ｓ５６）。これによれば、カード残額無しの精算カード５を挿入しなくても入金残額の返却が可能な状態であることを遊技者に対して確実に認識させることができるので、遊技者が無駄に精算カード５の発行を受けることが防止できる。
【００９１】
次に図５を参照して、オフライン状態であって精算カード５が留保されていない状態におけるカードユニット２０とシステムコンピュータ５０の作用について説明する。ただしオフライン状態では、図４のＳ１１に示す入金の受付が行われないので、以下の説明では、オンライン状態で図４のＳ１１〜Ｓ１５に示す処理が行われた後にオフライン状態となった場合について述べる。
【００９２】
まずカードユニット２０において、玉貸ボタン１５が操作されて玉貸操作が受け付けられると、残額の有無を制御部２２により判定する（Ｓ２１’）。ここでは封入カード４に入金残額が記録されている（即ち入金残額有り）と判定されるので、入金残額を使用した玉貸処理を貸与処理手段である制御部２２により行うと共に、封入カード４に記録された入金残額からパチンコ玉の貸与に使用される使用金額（ここでは500円）を減算する有価価値減算処理を有価価値減算処理手段である制御部２２により行い、残度数表示器１４に表示された残度数から使用金額に相当する度数を減算する（Ｓ２２’）。ここでオフライン状態であるためにシステムコンピュータ５０との通信は行われないので、封入カード４に記録されている入金残額＜ハードディスク５３に記憶されている入金残額となる。
【００９３】
次にカードユニット２０において、精算カードＲ／Ｗ２６により精算カード５（ここでは精算カードＩＤがSC0001でカード残額が零のもの）が受け付けられると、残額の有無を制御部２２により判定する（Ｓ３１’）。ここでは封入カード４に入金残額が記録されており（即ち入金残額有り）、かつ精算カード５にカード残額が記録されていない（即ちカード残額無し）と判定されるので、オフライン状態であるためにシステムコンピュータ５０との通信を行うことなく、入金残額をカード残額として精算カード５に記録すると共に封入カードＩＤを精算カード５に記録し、かつ封入カード４に記録されている入金残額を消去すると共に残度数表示器１４に表示されている残度数を零クリアして（Ｓ３５’）、カード残額有りとなった精算カード５を精算カード挿入口２６ａから排出して遊技者に返却する（Ｓ３６’）。
【００９４】
なおオフライン状態では、図４のＳ４１に示す精算カード５の受付が行われないので、カード残額を使用した玉貸処理は行われない。
【００９５】
次に図６を参照して、オンライン状態であって精算カード５（ここでは精算カードＩＤがSC0002でカード残額が零のもの）が留保されている状態におけるカードユニット２０とシステムコンピュータ５０の作用について説明する。まず入金残額が零であるカードユニット２０において、紙幣識別機２３又は硬貨識別機２４により紙幣２又は硬貨３が受け付けられて入金（ここでは10000円）がされると、精算カードＲ／Ｗ２６にカード残額無しの精算カード５が留保されているか否かを制御部２２により判定する（Ｓ６１）。ここではカード残額無しの精算カード５が留保されていると判定されるので、システムコンピュータ５０に対して、該入金された金額と封入カードＩＤとを含む封入型記録媒体入金情報を送信する（Ｓ６２）。
【００９６】
該封入型記録媒体入金情報を受信したシステムコンピュータ５０においては、該受信した封入型記録媒体入金情報に含まれる入金された金額を入金残額として、該受信した封入型記録媒体入金情報に含まれる封入カードＩＤと対応付けてハードディスク５３に記憶し（Ｓ６３）、封入型記録媒体入金情報の送信元であるカードユニット２０に対して、記憶完了情報を返信する（Ｓ６４）。そしてカードユニット２０においては、該記憶完了情報が返信されてきたことを条件として、前記入金された金額を入金残額として封入カード４に記録する（Ｓ６５）。
【００９７】
次にカードユニット２０において、玉貸ボタン１５が操作されて玉貸操作が受け付けられると、残額の有無を制御部２２により判定する（Ｓ７１）。ここでは封入カード４に入金残額が記録されている（即ち入金残額有り）と判定されるので、入金残額を使用した玉貸処理を貸与処理手段である制御部２２により行うと共に、封入カード４に記録された入金残額からパチンコ玉の貸与に使用される使用金額（ここでは500円）を減算する有価価値減算処理を有価価値減算処理手段である制御部２２により行い、残度数表示器１４に表示された残度数から使用金額に相当する度数を減算して（Ｓ７２）、システムコンピュータ５０に対して、使用金額と封入カードＩＤとを含む貸与情報を送信する（Ｓ７３）。該貸与情報を受信したシステムコンピュータ５０においては、該受信した貸与情報に含まれる封入カードＩＤと対応付けてハードディスク５３に記憶されている入金残額から該受信した貸与情報に含まれる使用金額を減算する減算処理を減算処理手段である制御部５２により行う（Ｓ７４）。
【００９８】
次にカードユニット２０において、精算カード返却ボタン１６が操作されて返却操作が受け付けられると、精算カードＲ／Ｗ２６にカード残額無しの精算カード５が留保されているか否かを制御部２２により判定すると共に、残額の有無を制御部２２により判定する（Ｓ８１）。ここではカード残額無しの精算カード５が留保されており、かつ封入カード４に入金残額が記録されている（即ち入金残額有り）と判定されるので、システムコンピュータ５０に対して、精算カードＩＤと封入カードＩＤとを含む遊技終了処理要求を送信する（Ｓ８２）。
【００９９】
該遊技終了処理要求を受信したシステムコンピュータ５０においては、該受信した遊技終了処理要求に含まれる封入カードＩＤと対応付けてハードディスク５３に記憶されている入金残額を、該受信した遊技終了処理要求に含まれる精算カードＩＤと対応付けてカード残額として記憶（振替）すると共に、入金残額を零にして（Ｓ８３）、遊技終了処理要求の送信元であるカードユニット２０に対して、遊技終了許諾情報を返信する（Ｓ８４）。そしてカードユニット２０においては、該遊技終了許諾情報が返信されてきたことを条件として、入金残額をカード残額として精算カード５に記録し、封入カード４に記録されている入金残額を消去すると共に残度数表示器１４に表示されている残度数を零クリアして（Ｓ８５）、カード残額有りとなった精算カード５を精算カード挿入口２６ａから排出して遊技者に返却する（Ｓ８６）。
【０１００】
このように、カード残額が零となった精算カード５を遊技用装置内部に留保して、該精算カード５の返却操作を受け付けたときに、該留保されている精算カード５の精算カードＩＤと対応付けて入金残額をカード残額として記憶し、該留保されている精算カード５が返却されるので、遊技場の店員による残額が零である精算カード５の発行作業を軽減できると共に、入金残額を遊技者に短時間で返却できる。またカード残額が零となった精算カード５を遊技用装置内部に留保するので、遊技場の店員や遊技者がカード残額が零となった精算カード５を処理する手間が軽減されると共に、カード残額が零となった精算カード５が捨てられることによるコストの増大を防止できる。
【０１０１】
なおオフライン状態では、図６のＳ６１に示す入金の受付が行われないので、図６に示す処理は行われない。また精算カードＲ／Ｗ２６がカード残額無しの精算カード５を留保している状態で別の精算カード５を受け付けたときには、該精算カードＲ／Ｗ２６が留保を解除して該留保していた精算カード５をカードユニット２０の背面方向に搬送して、該留保していた精算カード５を精算カード回収部２６ｂの内部に回収する。これによれば、留保していた精算カード５が回収されるので、新たな精算カード５を挿入しようとする遊技者が該留保している精算カード５を返却させる手間が省ける。
【０１０２】
次に図７を参照して、精算装置６０とシステムコンピュータ５０の作用について説明する。まず図７（ａ）に示すように、前記図４のＳ３５又は前記図６のＳ８５においてオンライン状態でカード残額が記録された精算カード５（ここでは精算カードＩＤがSC0001でカード残額が9500円のもの）が精算カードＲ／Ｗ６３により受け付けられると、精算カード５から精算カードＩＤとカード残額を読み取り（Ｓ１０１）、システムコンピュータ５０に対して、カード残額と精算カードＩＤとを含む精算許諾要求を送信する（Ｓ１０２）。ここでシステムコンピュータ５０のハードディスク５３には、精算カードＩＤと対応付けてカード残額が記憶されている。
【０１０３】
該精算許諾要求を受信したシステムコンピュータ５０においては、該受信したカード残額と、該受信した精算カードＩＤと対応付けてハードディスク５３に記憶されているカード残額との照合を行い（Ｓ１０３）、照合ＯＫ（即ち受信したカード残額≦記憶されているカード残額）であることを条件として、精算装置６０に対して、精算許諾情報を返信する（Ｓ１０４）。なおＳ１０３で照合ＮＧであるときには、精算不可情報を返信し、該精算不可情報を受信した精算装置６０においては、図３（ｂ）のＤ３に示す画面をディスプレイ６５に表示する。
【０１０４】
該精算許諾情報を受信した精算装置６０においては、図３（ｂ）のＤ２に示す画面をディスプレイ６５に表示し、前記読み取ったカード残額（即ちハードディスク５３に記憶されているカード残額）に相当する金額の貨幣を紙幣払出機６５及び／又は硬貨払出機６６から払い出して遊技者に返却し（Ｓ１０５）、精算カード５からカード残額を消去して、該精算カード５を精算カード回収部６３ｂの内部に回収し（Ｓ１０６）、システムコンピュータ５０に対して、精算カードＩＤを含む精算完了情報を送信する（Ｓ１０７）。該精算完了情報を受信したシステムコンピュータ５０においては、該受信した精算完了情報に含まれる精算カードＩＤと対応付けてハードディスク５３に記憶されているカード残額を消去する（Ｓ１０８）。
【０１０５】
これによれば、例えばカードユニット２０の制御部２２に対する不正を行うことにより、封入カード４に記録されている入金残額よりも大きいカード残額が精算カード５に記録されるようなおそれがなくなる。
【０１０６】
一方、図７（ｂ）に示すように、前記図５のＳ３５’においてオフライン状態でカード残額と封入カードＩＤが記録された精算カード５（ここでは精算カードＩＤがSC0001でカード残額が9500円で封入カードＩＤがFC0123のもの）が精算カードＲ／Ｗ６３により受け付けられると、精算カード５から精算カードＩＤとカード残額と封入カードＩＤを読み取り（Ｓ１０１’）、システムコンピュータ５０に対して、カード残額と封入カードＩＤとを含む精算許諾要求を送信する（Ｓ１０２’）。ここでシステムコンピュータ５０のハードディスク５３には、封入カードＩＤと対応付けて入金残額が記憶されている。
【０１０７】
該精算許諾要求を受信したシステムコンピュータ５０においては、該受信したカード残額が、該受信した封入カードＩＤと対応付けてハードディスク５３に記憶されている入金残額以下であるか否かの判定を、判定手段である制御部５２により行い（Ｓ１０３’）、受信したカード残額≦記憶されている入金残額であると判定されたことを条件として、精算装置６０に対して、精算許諾情報を返信する（Ｓ１０４’）。なおＳ１０３で受信したカード残額＞記憶されている入金残額であると判定されたときには、精算不可情報を返信し、該精算不可情報を受信した精算装置６０においては、図３（ｂ）のＤ３に示す画面をディスプレイ６５に表示する。
【０１０８】
該精算許諾情報を受信した精算装置６０においては、図３（ｂ）のＤ２に示す画面をディスプレイ６５に表示し、前記読み取ったカード残額に相当する金額の貨幣を紙幣払出機６５及び／又は硬貨払出機６６から払い出して遊技者に返却し（Ｓ１０５’）、精算カード５からカード残額と封入カードＩＤを消去して、該精算カード５を精算カード回収部６３ｂの内部に回収し（Ｓ１０６’）、システムコンピュータ５０に対して、封入カードＩＤを含む精算完了情報を送信する（Ｓ１０７’）。該精算完了情報を受信したシステムコンピュータ５０においては、該受信した精算完了情報に含まれる封入カードＩＤと対応付けてハードディスク５３に記憶されている入金残額を消去する（Ｓ１０８’）。
【０１０９】
これによれば、カードユニット２０とシステムコンピュータ５０とが通信不能であるときにカード残額を精算カード５に記録し、該精算カード５に記録されているカード残額の返却が行われるので、カードユニット２０とシステムコンピュータ５０とが通信不能となった場合にも残額の返却を行うことができ、通信不能により残額を返却できないという不都合を遊技者に与えることがない。また精算カード５に記録されているカード残額がシステムコンピュータ５０に記憶されている入金残額以下であるときに、該精算カード５に記録されているカード残額の返却が行われるので、カードユニット２０とシステムコンピュータ５０とが通信不能となった場合に残額の返却を行っても、セキュリティが低下することがない。
【０１１０】
［２．第２実施形態に係る遊技用システム１’］
第２実施形態に係る遊技用システム１’は、図１に示すように、パチンコ機１０に対応して設けられるカードユニット２０’と、複数のカードユニット２０’と通信可能なシステムコンピュータ５０’と、該システムコンピュータ５０’と通信可能な第１実施形態と同様の精算装置６０と、を備えている。この遊技用システム１’では、第１実施形態と同様の紙幣２，硬貨３，封入カード４，及び精算カード５が使用される。ただしカードユニット２０’では、カード残額無しの精算カード５が留保されている状態において入金残額が封入カード４に記録される第１実施形態と異なり、後述する図８に示すように、カード残額無しの精算カード５が留保されている状態において入金残額が精算カード５に記録される。
【０１１１】
カードユニット２０’は遊技用装置の一例であって、図１及び図２に示すように、第１実施形態と同様のパチンコ機１０に対応して設けられている。このカードユニット２０’は、第１実施形態に係るカードユニット２０と比較して、システムコンピュータ用通信部２１ａに代えてシステムコンピュータ用通信部２１ａ’を有する点のみが異なり、その他の点は同様である。
【０１１２】
システムコンピュータ用通信部２１ａ’は、システムコンピュータ５０’の通信部５１と通信可能に接続されており、カードユニット２０’とシステムコンピュータ５０’との間における通信を司るものである。このシステムコンピュータ用通信部２１ａ’は、第１実施形態に係るシステムコンピュータ用通信部２１ａと同様に、封入型記録媒体入金情報送信手段，精算用記録媒体特定情報送信手段，及び貸与情報送信手段として機能するものである。
【０１１３】
またシステムコンピュータ用通信部２１ａ’は遊技終了処理要求送信手段の一例であって、前記図４のＳ３２に示すように、遊技用装置外部から精算カード５（カード残額無しの精算カード５）を受け付けたときに、該受け付けた精算カード５から読み取った精算カードＩＤと、遊技用装置内部に封入されている封入カード４の封入カードＩＤと、を含む遊技終了処理要求を遊技用装置外部のシステムコンピュータ５０’に対して送信するものである。ただし遊技終了処理要求送信手段として機能するシステムコンピュータ用通信部２１ａ’は、第１実施形態に係るシステムコンピュータ用通信部２１ａとは異なり、後述する図８のＳ８１’に示すように、留保手段（精算カードＲ／Ｗ２６）により精算カード５が遊技用装置内部に留保されている状態で精算カード返却ボタン１６により返却操作を受け付けたときであっても、遊技終了処理要求をシステムコンピュータ５０’に対して送信しない。
【０１１４】
さらに前記システムコンピュータ用通信部２１ａ’は精算用記録媒体入金情報送信手段の一例であって、後述する図８のＳ６２’に示すように、留保手段（精算カードＲ／Ｗ２６）により精算カード５が遊技用装置内部に留保されている状態で貨幣受付手段（紙幣識別機２３又は硬貨識別機２４）により貨幣を受け付けたときに、該受け付けた貨幣の金額に相当する有価価値の大きさ（即ち入金された金額）と、該留保されている精算カード５の精算カードＩＤと、を含む精算用記録媒体入金情報を遊技用装置外部のシステムコンピュータ５０’に対して送信するものである。
【０１１５】
システムコンピュータ５０’は管理装置の一例であって、遊技場内の所定箇所（例えば管理事務所等）に設けられるものであり、図１に示すように接続される通信部５１，制御部５２，及びハードディスク５３’等を備えている。このシステムコンピュータ５０’は、第１実施形態に係るシステムコンピュータ５０と比較して、ハードディスク５３に代えてハードディスク５３’を有する点のみが異なり、その他の点は同様である。
【０１１６】
ハードディスク５３’は記憶手段の一例であって、第１実施形態に係るハードディスク５３と同様に機能すると共に、後述する図８のＳ６３’に示すように、精算用記録媒体入金情報送信手段から受信した精算用記録媒体入金情報に含まれる有価価値の大きさ（即ち入金された金額）と精算カードＩＤとを対応付けて記憶する。
【０１１７】
以上に説明した遊技用システム１’の作用について説明する。まず精算カード５が留保されていない状態におけるカードユニット２０’の作用は、図４（オンライン状態）及び図５（オフライン状態）に示すように、第１実施形態と同様である。
【０１１８】
次に図８を参照して、オンライン状態であって精算カード５（ここでは精算カードＩＤがSC0002でカード残額が零のもの）が留保されている状態におけるカードユニット２０’とシステムコンピュータ５０’の作用について説明する。まず入金残額が零であるカードユニット２０’において、紙幣識別機２３又は硬貨識別機２４により紙幣２又は硬貨３が受け付けられて入金（ここでは10000円）がされると、精算カードＲ／Ｗ２６にカード残額無しの精算カード５が留保されているか否かを制御部２２により判定する（Ｓ６１’）。ここではカード残額無しの精算カード５が留保されていると判定されるので、システムコンピュータ５０’に対して、該入金された金額と精算カードＩＤとを含む精算用記録媒体入金情報を送信する（Ｓ６２’）。
【０１１９】
該精算用記録媒体入金情報を受信したシステムコンピュータ５０’においては、該受信した精算用記録媒体入金情報に含まれる入金された金額をカード残額として、該受信した精算用記録媒体入金情報に含まれる精算カードＩＤと対応付けてハードディスク５３’に記憶し（Ｓ６３’）、精算用記録媒体入金情報の送信元であるカードユニット２０’に対して、記憶完了情報を返信する（Ｓ６４’）。そしてカードユニット２０’においては、該記憶完了情報が返信されてきたことを条件として、前記入金された金額をカード残額として精算カード５に記録する（Ｓ６５’）。
【０１２０】
次にカードユニット２０’において、玉貸ボタン１５が操作されて玉貸操作が受け付けられると、残額の有無を制御部２２により判定する（Ｓ７１’）。ここでは精算カード５にカード残額が記録されている（即ちカード残額有り）と判定されるので、カード残額を使用した玉貸処理を貸与処理手段である制御部２２により行うと共に、精算カード５に記録されたカード残額からパチンコ玉の貸与に使用される使用金額（ここでは500円）を減算する有価価値減算処理を有価価値減算処理手段である制御部２２により行い、残度数表示器１４に表示された残度数から使用金額に相当する度数を減算して（Ｓ７２’）、システムコンピュータ５０’に対して、使用金額と精算カードＩＤとを含む貸与情報を送信する（Ｓ７３’）。該貸与情報を受信したシステムコンピュータ５０’においては、該受信した貸与情報に含まれる精算カードＩＤと対応付けてハードディスク５３’に記憶されているカード残額から該受信した貸与情報に含まれる使用金額を減算する減算処理を減算処理手段である制御部５２により行う（Ｓ７４’）。
【０１２１】
次にカードユニット２０’において、精算カード返却ボタン１６が操作されて返却操作が受け付けられると、精算カードＲ／Ｗ２６にカード残額有りの精算カード５が留保されているか否かを制御部２２により判定する（Ｓ８１’）。ここではカード残額有りの精算カード５が留保されていると判定されるので、システムコンピュータ５０’との通信を行うことなく、該カード残額有りの精算カード５を精算カード挿入口２６ａから排出して遊技者に返却する（Ｓ８６’）。
【０１２２】
このように、カード残額が零となった精算カード５を遊技用装置内部に留保して、該留保されている精算カード５の精算カードＩＤと対応付けて入金残額をカード残額として記憶し、該精算カード５の返却操作を受け付けたときに、該留保されている精算カード５が返却されるので、遊技場の店員による残額が零である精算カード５の発行作業を軽減できると共に、入金残額を遊技者に短時間で返却できる。さらに入金残額を返却するにあたり、カードユニット２０’とシステムコンピュータ５０’とのやりとりや、システムコンピュータ５０’における精算カードＩＤと対応付けたカード残額の記憶といった処理が必要なくなるので、通信負担及びシステムコンピュータ５０’における処理負担を低減できる。またカード残額が零となった精算カード５を遊技用装置内部に留保するので、遊技場の店員や遊技者がカード残額が零となった精算カード５を処理する手間が軽減されると共に、カード残額が零となった精算カード５が捨てられることによるコストの増大を防止できる。
【０１２３】
なおオフライン状態では、図８のＳ６１’に示す入金の受付が行われないので、図８に示す処理は行われない。また精算カードＲ／Ｗ２６がカード残額無しの精算カード５を留保している状態で別の精算カード５を受け付けたときの処理は、第１実施形態と同様である。さらに図７に示すように、精算装置６０とシステムコンピュータ５０’の作用も、第１実施形態と同様である。
【０１２４】
最後に、本発明の変形例について説明する。
【０１２５】
上記の実施形態では、有価価値記憶手段が封入カード４である例について説明したが、これに限らず、該有価価値記憶手段は、例えば遊技用装置（カードユニット２０，２０’）の制御部２２に設けられたＲＡＭであっても良く、この場合には、封入カード４に入金残額を記録しなくても良い。
【０１２６】
上記の実施形態では、図４のＳ３５，図６のＳ８５，及び図８のＳ６５’に示すように、オンライン状態において精算カード５にカード残額が記録される例について説明したが、これに限らず、該オンライン状態では、精算カード５にカード残額を記録しなくても良く、この場合には、該精算カード５の精算カードＩＤと対応付けてハードディスク５３，５３’に記憶されているカード残額を使用した玉貸処理が行われる。ただしオフライン状態においては、図５のＳ３５’に示すように、精算カード５にカード残額を記録する必要がある。
【０１２７】
上記の実施形態では、図２に示すように、紙幣識別機２３にて受付可能な紙幣２の種類が1000円紙幣，2000円紙幣，5000円紙幣，及び10000円紙幣の４種類である例について説明したが、これに限らず、受付可能な紙幣２の種類は、該４種類のうちの任意の１種類又は２種類以上でも良い。同様に、上記の実施形態では、硬貨識別機２４にて受付可能な硬貨３の種類が100円硬貨，及び500円硬貨の２種類である例について説明したが、これに限らず、受付可能な硬貨３の種類は、該２種類のうちの任意の１種類でも良い。なお貨幣として紙幣２及び硬貨３の双方を受け付けるものには限られず、紙幣２又は硬貨３のいずれか一方のみを受け付けるものでも良い。
【０１２８】
上記の実施形態では、図２に示すように、貨幣受付手段（紙幣識別機２３、硬貨識別機２４）により受け付けられた貨幣（紙幣２，硬貨３）が遊技用装置（カードユニット２０，２０’）外部に排出されて、紙幣搬送機構，硬貨搬送機構により搬送される例について説明したが、これに限らず、該受け付けられた貨幣は、遊技用装置内部に貯留されるようにしても良い。
【０１２９】
上記の実施形態では、図２に示すように、貨幣受付手段（紙幣識別機２３、硬貨識別機２４）において、有体物である貨幣（紙幣２，硬貨３）を受け付ける例について説明したが、これに限らず、無体物である貨幣（例えば電子マネー等の貨幣金額に相当する金額データや、クレジットカードから特定される与信金額や、デビットカードから特定される預金金額等）を接触又は非接触で受け付けるようにしても良い。
【０１３０】
上記の実施形態では、封入カード４が非接触式のＩＣカードである例について説明したが、これに限らず、該封入カード４は、接触式の集積回路，磁気，二次元コード（例えばバーコード），三次元コード，又は光干渉（例えばホログラム）等により情報を記録するものでも良い。
【０１３１】
上記の実施形態では、記録媒体（精算カード５）が非接触式のＩＣカードである例について説明したが、これに限らず、該記録媒体は、接触式の集積回路，磁気，二次元コード（例えばバーコード），三次元コード，又は光干渉（例えばホログラム）等により情報を記録するものでも良い。また記録媒体の形状はカード型には限られず、コイン型であっても良い。
【０１３２】
上記の実施形態では、遊技機がパチンコ機１０である例について説明したが、これに限らず、該遊技機は、例えば遊技媒体としてメダルを使用するスロットマシン，遊技媒体としてパチンコ玉を使用するスロットマシンであるパチロット，遊技媒体であるパチンコ玉が指触不能に封入された封入式のパチンコ機，パチンコ玉やメダルを用いることなく得点データを使用して遊技可能なパチンコ機やスロットマシン，遊技領域やパチンコ玉が画像にて表示される画像式のパチンコ機，リールが画像にて表示される画像式のスロットマシン等であっても良い。
【０１３３】
上記の実施形態では、遊技用装置（カードユニット２０，２０’）において玉貸処理が行われるときに、１度数に相当するパチンコ玉数（例えば消費税を考慮しないのであれば２５個、消費税を考慮するのであれば消費税率に応じて２４個，２３個…等の、具体的な玉数）である払出要求玉数のパチンコ玉の払出を要求する払出要求信号がパチンコ機１０に対して送信される例について説明したが、該玉貸処理は、例えば以下の変形例１又は変形例２に示す如く行われるようにしても良い。
【０１３４】
まず変形例１として、パチンコ機１０において、遊技用装置からの１回の払出要求に応じて払い出すパチンコ玉の数（以下「単位払出数」という。）を設定変更可能に構成すると共に、遊技用装置において、該設定された単位払出数を予め記憶可能に構成した場合には、以下のようにして玉貸処理を行う。まず遊技用装置は、玉貸ボタン１５の操作を制御部２２により検出すると、パチンコ玉の払出を要求する払出要求信号（具体的な払出要求玉数は示さない信号）を払出制御基板１２に対して送信する。該払出要求信号を受信したパチンコ機１０は、前記単位払出数のパチンコ玉の払出を指示する払出信号を払出制御基板１２から玉払出装置１３に対して出力し、これに基づいて、玉払出装置１３から単位払出数分のパチンコ玉の払出を行い、該払出の終了に基づいて、実際に払い出したパチンコ玉の数である払出結果玉数を示す払出結果信号を制御部２２に対して送信する。該払出結果信号を受信した遊技用装置は、前記予め記憶している単位払出数と、該払出結果信号に示される払出結果玉数とを照合し、照合ＯＫである場合には、前記１度数分の減算処理を行い、その後、前記玉貸設定度数分の玉貸処理を行う。
【０１３５】
ここで払出結果玉数を示す払出結果信号は、パチンコ機１０の払出制御基板１２から出力されるようにしても良いし、払い出されたパチンコ玉の数を検出する図示しない払出検出センサから出力されるようにしても良い。また遊技用装置において予め記憶しておく単位払出数は、カード会社の管理装置や遊技場の管理装置（システムコンピュータ５０）で設定し、遊技用装置に配信して記憶するようにすれば良い。そして、例えば前記単位払出数と払出結果玉数との照合ＮＧの場合に、遊技用装置を不能動化するように構成すれば、遊技場が実際の申告よりも小さい単位払出数をパチンコ機１０において設定するような不正を防止できる。
【０１３６】
また変形例２として、前記単位払出数が一定（例えば２５個）である場合には、以下のようにして玉貸処理を行う。まず遊技用装置は、玉貸ボタン１５の操作を制御部２２により検出すると、パチンコ玉の払出を要求する払出要求信号（具体的な払出要求玉数は示さない信号）を払出制御基板１２に対して送信する。該払出要求信号を受信したパチンコ機１０は、玉払出装置１３からパチンコ玉の払出が可能であるか否かを確認し、該確認結果が可能である場合には、玉貸準備信号を制御部２２に対して送信する。該玉貸準備信号を検出した遊技用装置は、玉貸指令信号を払出制御基板１２に対して送信し、該玉貸指令信号を受信したパチンコ機１０は、前記単位払出数のパチンコ玉の払出を指示する払出信号を払出制御基板１２から玉払出装置１３に対して出力し、これに基づいて、玉払出装置１３から単位払出数分のパチンコ玉の払出を行い、該払出の終了に基づいて、１度数分の玉貸処理の完了を示す玉貸完了信号を制御部２２に対して送信する。該払出結果信号を受信した遊技用装置は、前記１度数分の減算処理を行い、その後、前記玉貸設定度数分の玉貸処理を行う。
【０１３７】
上記の実施形態では、遊技媒体を貸与するための貸与処理が、パチンコ玉を貸与する玉貸処理である例について説明したが、これに限らず、該貸与処理は、前記メダルを貸与するメダル貸出処理や、前記画像式のパチンコ機やスロットマシンにおいて有価価値の大きさを遊技媒体としての得点に変換して遊技に使用させる処理等でも良い。
【０１３８】
上記の実施形態では、玉貸処理が行われた場合に、遊技用装置（カードユニット２０，２０’）と遊技機（パチンコ機１０）との間でパチンコ玉の貸与に関する信号のやり取りが行われて、該遊技機に設けられた玉払出装置１３からパチンコ玉が払い出されて貸与される例について説明したが、これに限らず、遊技用装置に設けられた図示しない玉払出装置からパチンコ玉が払い出されて貸与されるようにしても良い。
【０１３９】
上記の実施形態では、図２に示すように、残度数表示器１４，玉貸ボタン１５，及び精算カード返却ボタン１６が遊技機（パチンコ機１０）に設けられ、遊技用装置（カードユニット２０，２０’）と接続されている例について説明したが、これに限らず、これら残度数表示器１４，玉貸ボタン１５，及び精算カード返却ボタン１６の一部又は全部を遊技用装置に設けるようにしても良い。
【０１４０】
上記の実施形態では、入金残額及びカード残額が零である状態で貨幣（紙幣２及び／又は硬貨３）を受付可能である例について説明したが、これに限らず、入金残額が零でない場合や、カード残額が零でない場合にも、貨幣を受付可能としても良い。
【０１４１】
上記の実施形態では、図２（ｃ）に示すように、精算カード回収部２６ｂが精算カードＲ／Ｗ２６，２６の後方に設けられる例について説明したが、これに限らず、該精算カード回収部を精算カードＲ／Ｗ２６，２６の下方に設け、精算カードＲ／Ｗ２６，２６にて留保されていた精算カード５を下方に落下して回収するようにしても良い。
【０１４２】
上記の実施形態では、有価価値の大きさとして金額自体が記憶・管理されている例について説明したが、これに限らず、該有価価値の大きさとして、該金額が所定の比率で換算された残度数や点数等が記憶・管理されるようにしても良い。
【０１４３】
上記の実施形態では、図４のＳ１５に示すように、記憶完了情報返信手段（通信部５１）から記憶完了情報が返信されてきたことを条件として、遊技用装置（カードユニット２０，２０’）において、入金残額を有価価値記憶手段（封入カード４）に記憶する例について説明したが、これに限らず、例えば入金されたときに入金残額を有価価値記憶手段に記憶しておき、記憶完了情報返信手段から所定時間内に記憶完了情報が返信されてこなければ、有価価値記憶手段から入金残額の記憶を消去して、入金された貨幣を返却するようにしても良い。即ち有価価値記憶手段は、記憶完了情報返信手段（通信部５１）から記憶完了情報が返信されてくることを条件として、入金残額を記憶するものであれば良い。
【０１４４】
上記の実施形態では、図４のＳ５３，図６のＳ７３，及び図８のＳ７３’に示すように、遊技用装置（カードユニット２０，２０’）において貸与処理（玉貸処理）が行われた後に、該遊技用装置から管理装置（システムコンピュータ５０，５０’）に対して貸与情報が送信される例について説明したが、これに限らず、例えば遊技用装置において貸与処理が行われる前に、該遊技用装置から管理装置に対して貸与情報を送信し、該管理装置において減算処理を行った後に、該管理装置から遊技用装置に対して減算完了情報を送信し、遊技用装置において該減算完了情報を受信してから貸与処理を行うようにしても良い。
【０１４５】
上記の実施形態では、図４のＳ５３，図６のＳ７３，及び図８のＳ７３’に示すように、貸与情報に使用金額が含まれる例について説明したが、これに限らず、例えば玉貸設定金額が固定されている場合には、使用金額も一定なので、貸与情報には、使用金額に代えて、貸与処理を行った旨を示す情報を含めれば良い。即ち、この場合においては、貸与処理を行った旨を示す情報が、貸与情報に含まれる「貸与処理手段により貸与処理に使用される有価価値の大きさ」に相当することとなる。
【図面の簡単な説明】
【０１４６】
【図１】図１は本発明に係る遊技用システムの一例を表す機能ブロック図である。
【図２】図２（ａ）はカードユニット及びパチンコ機の正面図であり、図２（ｂ）はカードユニットの断面右側面図であり、図２（ｃ）はＸ−Ｘ線断面図である。
【図３】図３（ａ）は精算装置の斜視図であり、図３（ｂ）は精算装置に設けられたディスプレイの表示内容の一例を表す図である。
【図４】図４はオンライン状態であって精算カードが留保されていない状態におけるカードユニットとシステムコンピュータの作用の一例を表す図である。
【図５】図５はオフライン状態であって精算カードが留保されていない状態におけるカードユニットの作用の一例を表す図である。
【図６】図６はオンライン状態であって精算カードが留保されている状態における第１実施形態に係るカードユニットとシステムコンピュータの作用の一例を表す図である。
【図７】図７は精算装置とシステムコンピュータの作用の一例を表す図である。
【図８】図８はオンライン状態であって精算カードが留保されている状態における第２実施形態に係るカードユニットとシステムコンピュータの作用の一例を表す図である。
【符号の説明】
【０１４７】
１…遊技用システム
２…紙幣
３…硬貨
４…封入カード
５…精算カード
１０…パチンコ機
１６…精算カード返却ボタン
２０…カードユニット
２１ａ…システムコンピュータ用通信部
２２…制御部
２３…紙幣識別機
２４…硬貨識別機
２６…精算カードＲ／Ｗ
５０…システムコンピュータ
５１…通信部
５２…制御部
５３…ハードディスク
６０…精算装置
６１…通信部
【図１】
2005118290.tif 000003
【図２】
2005118290.tif 000004
【図３】
2005118290.tif 000005
【図４】
2005118290.tif 000006
【図５】
2005118290.tif 000007
【図６】
2005118290.tif 000008
【図７】
2005118290.tif 000009
【図８】
2005118290.tif 000010